(57)【要約】  本発明の実施例は、既存の非周期的SRS伝送における比較的大きいシグナリングオーバーヘッド及び既存の周期的SRS伝送における柔軟性のない設定の問題を少なくとも解決するための上りリンクサウンディング信号トリガー方法及びシステム並びに装置を提供する。方法は、基地局により、物理下りリンク制御チャネルを使用することにより１つの下りリンク制御情報DCIを送信するステップであり、DCIは、基地局により管理されたセル内のa個のユーザ装置UEのそれぞれに対応するサウンディングリファレンス信号SRS制御情報を含み、aは2以上の正の整数であるステップを含む。本発明は、無線通信分野に適用可能である。
2019503106.tif 000002
【特許請求の範囲】
【請求項１】
上りリンクサウンディング信号トリガー方法であって、
基地局により、物理下りリンク制御チャネルを使用することにより１つの下りリンク制御情報DCIを送信するステップであり、前記DCIは、前記基地局により管理されたセル内のa個のユーザ装置UEのそれぞれに対応するサウンディングリファレンス信号SRS制御情報を含み、aは2以上の正の整数であるステップを含む方法。
【請求項２】
前記a個のUEの中の第iのUEに対応するSRS制御情報のビット数はkiであり、1≦i≦aであり、iは整数であり、kiは1以上の正の整数である、請求項１に記載の方法。
【請求項３】
前記第iのUEに対応する前記SRS制御情報内のkiビットにより表される
【数６２】
2019503106.tif 000065
個の組み合わせ状態の中のsi個の組み合わせ状態は、前記UEがSRSを非周期的に送信するときに必要なSRSパラメータのセットを示すために別々に使用され、前記
【数６３】
2019503106.tif 000066
個の組み合わせ状態の中の前記si個の組み合わせ状態以外の組み合わせ状態のうち１つは、前記UEに対してSRSを送信しないように命令するために使用され、
【数６４】
2019503106.tif 000067
であり、siは整数である、請求項２に記載の方法。
【請求項４】
前記第iのUEに対応する前記SRS制御情報内のkiビットのうち１つは、前記UEに対してSRSを周期的又は非周期的に送信するように命令するために使用され、前記kiビットの中の他の(ki-1)ビットにより表される
【数６５】
2019503106.tif 000068
個の組み合わせ状態の中のsi個の組み合わせ状態は、前記UEがSRSを周期的又は非周期的に送信するときに必要なSRSパラメータのセットを示すために別々に使用され、前記
【数６６】
2019503106.tif 000069
個の組み合わせ状態の中の前記si個の組み合わせ状態以外の組み合わせ状態のうち１つは、前記UEに対してSRSを送信しないように命令するために使用され、
【数６７】
2019503106.tif 000070
であり、siは整数であり、kiは1より大きい正の整数である、請求項２に記載の方法。
【請求項５】
前記基地局により、第１の無線リソース制御RRC（RRC2）シグナリングを前記UEに送信するステップであり、前記第１のRRCシグナリングは、第１のインジケータを含み、前記第１のインジケータは、周期的SRSが前記DCIを使用することによりトリガーされることを示すために使用されるステップを更に含む、請求項１、２又は４のいずれか１項に記載の方法。
【請求項６】
前記基地局により、第２のRRC（RRC1）シグナリングを前記UEに送信するステップであり、前記第２のRRCシグナリングは、前記DCI内のビット位置と前記a個のUEのそれぞれとの間の対応関係を搬送するステップを更に含む、請求項１乃至５のいずれか１項に記載の方法。
【請求項７】
前記基地局により、第３のRRC（RRC3）シグナリングを前記UEに送信するステップであり、前記第３のRRCシグナリングは、指示情報を搬送し、前記指示情報は、前記UEに対して非周期的SRSが１回トリガーされる間にSRSをM回送信するように命令するために使用され、Mは1以上の正の整数であるステップを更に含む、請求項１乃至５のいずれか１項に記載の方法。
【請求項８】
上りリンクサウンディング信号トリガー方法であって、
ユーザ装置UEにより、基地局により送信された１つの下りリンク制御情報DCIを受信するステップであり、前記DCIは、前記基地局により管理されたセル内のa個のユーザ装置UEのそれぞれに対応するサウンディングリファレンス信号SRS制御情報を含み、aは2以上の正の整数であるステップと、
前記UEにより、前記DCIが前記UEに対応するSRS制御情報を含むと検出した後に、前記UEに対応する前記SRS制御情報に従ってSRSをトリガーするステップと
を含む方法。
【請求項９】
前記UEにより、前記基地局により送信された第１の無線リソース制御RRC（RRC1）シグナリングを受信するステップであり、前記第１のRRCシグナリングは、前記DCI内のビット位置と前記a個のUEのそれぞれとの間の対応関係を搬送するステップと、
前記UEにより、前記対応関係に従って、前記UEに対応する前記SRS制御情報を決定するステップと
を更に含む、請求項８に記載の方法。
【請求項１０】
前記a個のUEの中の第iのUEに対応するSRS制御情報のビット数はkiであり、1≦i≦aであり、iは整数であり、kiは1以上の正の整数である、請求項８又は９に記載の方法。
【請求項１１】
前記第iのUEに対応する前記SRS制御情報内のkiビットにより表される
【数６８】
2019503106.tif 000071
個の組み合わせ状態の中のsi個の組み合わせ状態は、前記UEがSRSを非周期的に送信するときに必要なSRSパラメータのセットを示すために別々に使用され、前記
【数６９】
2019503106.tif 000072
個の組み合わせ状態の中の前記si個の組み合わせ状態以外の組み合わせ状態のうち１つは、前記UEに対してSRSを送信しないように命令するために使用され、
【数７０】
2019503106.tif 000073
であり、siは整数であり、前記UEにより、前記UEに対応する前記SRS制御情報に従ってSRSをトリガーする前記ステップは、
前記UEに対応する前記SRS制御情報が、前記UEがSRSを非周期的に送信するときに必要なSRSパラメータのセットを示すために使用される場合、前記UEにより、前記UEがSRSを非周期的に送信するときに必要な前記SRSパラメータのセットに従って、SRSを前記基地局に送信するステップ、又は
前記UEに対応する前記SRS制御情報が、SRSを送信しないように命令するために使用される場合、前記UEにより、SRSを前記基地局に送信しないステップ
を含む、請求項１０に記載の方法。
【請求項１２】
前記第iのUEに対応する前記SRS制御情報内のkiビットのうち１つは、前記UEに対してSRSを周期的又は非周期的に送信するように命令するために使用され、前記kiビットの中の他の(ki-1)ビットにより表される
【数７１】
2019503106.tif 000074
個の組み合わせ状態の中のsi個の組み合わせ状態は、前記UEがSRSを周期的又は非周期的に送信するときに必要なSRSパラメータのセットを示すために別々に使用され、前記
【数７２】
2019503106.tif 000075
個の組み合わせ状態の中の前記si個の組み合わせ状態以外の組み合わせ状態のうち１つは、前記UEに対してSRSを送信しないように命令するために使用され、
【数７３】
2019503106.tif 000076
であり、siは整数であり、kiは1より大きい正の整数であり、前記UEにより、前記UEに対応する前記SRS制御情報に従ってSRSをトリガーする前記ステップは、
前記UEに対応する前記SRS制御情報内の1ビットが、前記UEに対してSRSを周期的に送信するように命令するために使用され、前記UEに対応する前記SRS制御情報内の前記1ビット以外のビットが、前記UEがSRSを周期的に送信するときに必要なSRSパラメータのセットを示すために使用される場合、前記UEにより、前記UEがSRSを周期的に送信するときに必要な前記SRSパラメータのセットに従って、SRSを前記基地局に送信するステップ、又は
前記UEに対応する前記SRS制御情報内の1ビットが、前記UEに対してSRSを周期的に送信するように命令するために使用され、前記UEに対応する前記SRS制御情報内の前記1ビット以外のビットが、前記UEに対してSRSを送信しないように命令するために使用される場合、前記UEにより、SRSを前記基地局に送信しないステップ、又は
前記UEに対応する前記SRS制御情報内の1ビットが、前記UEに対してSRSを非周期的に送信するように命令するために使用され、前記UEに対応する前記SRS制御情報内の前記1ビット以外のビットが、前記UEがSRSを非周期的に送信するときに必要なSRSパラメータのセットを示すために使用される場合、前記UEにより、前記UEがSRSを非周期的に送信するときに必要な前記SRSパラメータのセットに従って、SRSを前記基地局に送信するステップ、又は
前記UEに対応する前記SRS制御情報内の1ビットが、前記UEに対してSRSを非周期的に送信するように命令するために使用され、前記UEに対応する前記SRS制御情報内の前記1ビット以外のビットが、前記UEに対してSRSを送信しないように命令するために使用される場合、前記UEにより、SRSを前記基地局に送信しないステップ
を含む、請求項１０に記載の方法。
【請求項１３】
前記UEに対応する前記SRS制御情報内の前記1ビットが、前記UEに対してSRSを周期的に送信するように命令するために使用される場合、前記UEにより、前記UEがSRSを周期的に送信するときに必要な前記SRSパラメータのセットに従って、SRSを前記基地局に送信する前記ステップの前に、或いは前記UEにより、SRSを前記基地局に送信しない前記ステップの前に、
前記UEにより、前記基地局により送信された第２のRRC（RRC2）シグナリングを受信するステップであり、前記第２のRRCシグナリングは、第１のインジケータを含み、前記第１のインジケータは、周期的SRSが前記DCIを使用することによりトリガーされることを示すために使用されるステップを更に含み、
前記UEに対応する前記SRS制御情報内の前記1ビットが、前記UEに対してSRSを周期的に送信するように命令するために使用される場合、前記UEにより、前記UEがSRSを周期的に送信するときに必要な前記SRSパラメータのセットに従って、SRSを前記基地局に送信する前記ステップは、
前記UEに対応する前記SRS制御情報内の前記1ビットが、前記UEに対してSRSを周期的に送信するように命令するために使用される場合、前記UEにより、前記第１のインジケータ及び前記UEがSRSを周期的に送信するときに必要な前記SRSパラメータのセットに従って、SRSを前記基地局に送信するステップを含むか、或いは
前記UEに対応する前記SRS制御情報内の前記1ビットが、前記UEに対してSRSを周期的に送信するように命令するために使用される場合、前記UEにより、SRSを前記基地局に送信しない前記ステップは、
前記UEに対応する前記SRS制御情報内の前記1ビットが、前記UEに対してSRSを周期的に送信するように命令するために使用される場合、前記UEにより、前記第１のインジケータに従って、SRSを前記基地局に送信しないステップを含む、請求項１２に記載の方法。
【請求項１４】
前記UEにより、前記基地局により送信された第３のRRC（RRC3）シグナリングを受信するステップであり、前記第３のRRCシグナリングは、指示情報を搬送し、前記指示情報は、前記UEに対して非周期的SRSが１回トリガーされる間にSRSをM回送信するように命令するために使用され、Mは1以上の正の整数であるステップを更に含み、
前記UEにより、前記UEがSRSを非周期的に送信するときに必要な前記SRSパラメータのセットに従って、SRSを前記基地局に送信する前記ステップは、
前記UEにより、前記指示情報を参照して、前記UEがSRSを非周期的に送信するときに必要な前記SRSパラメータのセットに従って、SRSを前記基地局にM回送信するステップを含む、請求項８乃至１３のいずれか１項に記載の方法。
【請求項１５】
プロセッサとメモリとシステムバスと通信インタフェースとを含む基地局であって、
前記メモリは、コンピュータ実行可能命令を記憶するように構成され、前記プロセッサ及び前記メモリは、前記システムバスを使用することにより接続され、前記基地局が動作するときに、前記プロセッサは、前記メモリに記憶された前記コンピュータ実行可能命令を実行し、それにより、前記基地局は、請求項１乃至７のいずれか１項に記載の上りリンクサウンディング信号トリガー方法を実行する基地局。
【請求項１６】
プロセッサとメモリとシステムバスと通信インタフェースとを含むユーザ装置UEであって、
前記メモリは、コンピュータ実行可能命令を記憶するように構成され、前記プロセッサ及び前記メモリは、前記システムバスを使用することにより接続され、前記UEが動作するときに、前記プロセッサは、前記メモリに記憶された前記コンピュータ実行可能命令を実行し、それにより、前記UEは、請求項８乃至１４のいずれか１項に記載の上りリンクサウンディング信号トリガー方法を実行するUE。
【発明の詳細な説明】
【技術分野】
【０００１】
［関連出願への相互参照］
この出願は、2015年11月18日に中国特許庁に出願された「UPLINK  SOUNDING  SIGNAL  TRIGGERING  METHOD  AND  SYSTEM,  AND  APPARATUS」という名称の中国特許第201510800172.1号の優先権を主張し、その全内容を参照により援用する。
【０００２】
［技術分野］
本発明は、無線通信分野に関し、特に上りリンクチャネルサウンディング方法及びシステム並びに装置に関する。
【背景技術】
【０００３】
無線通信システムの上りリンクでは、無線チャネルが周波数選択性フェージングにより特徴付けられるため、基地局（英文フルネーム：base  station、英文略称：BS）は、周波数選択性利得を取得して上りリンク性能を確保するために、ユーザ装置（英文フルネーム：user  equipment、英文略称：UE）が比較的良好なチャネル品質を有する周波数帯域上でデータ伝送を実行できるように、ユーザ装置をスケジューリングする必要がある。
【０００４】
具体的には、基地局は、上りリンクチャネル品質を推定するために、UEに対してサウンディングリファレンス信号（英文フルネーム：sounding  reference  signal、英文略称：SRS）を送信するように設定し、次に、基地局は、検出されたチャネル状態情報（英文フルネーム：channel  state  information、英文略称：CSI）に従ってUEの上りリンクデータ伝送のための周波数選択性スケジューリングを実行する。
【０００５】
既存のロングタームエボリューション（英文フルネーム：long  term  evolution、英文略称：LTE）プロトコルでは、UEは、２つのトリガー機構、すなわち、トリガータイプ0及びトリガータイプ1に基づいてSRSを送信する。トリガータイプ0は、周期的SRS伝送に対応しており、より高いレイヤの無線リソース制御（英文フルネーム：radio  resource  control、英文略称：RRC）シグナリングを使用することにより実行されるトリガーを意味する。トリガータイプ1は、非周期的SRS伝送に対応しており、物理下りリンク制御チャネル（英文フルネーム：physical  downlink  control  channel、英文略称：PDCCH）又は拡張物理下りリンク制御チャネル（英文フルネーム：enhanced  physical  downlink  control  channel、英文略称：EPDCCH）の下りリンク制御情報（英文フルネーム：downlink  control  information、英文略称：DCI）を使用することにより実行されるトリガーを意味する。
【０００６】
しかし、既存の非周期的SRS伝送では、PDCCH又はEPDCCHの１つのDCIが、１つのみのUEに対してSRSを１回送信するように設定するために使用できる。SRSが無線通信システムにおいて短時間に複数のUEについて急速に設定される必要があるときに、システムは、比較的大きいシグナリングオーバーヘッドを有する。
【発明の概要】
【０００７】
本発明の実施例は、既存の非周期的SRS伝送における比較的大きいシグナリングオーバーヘッドの問題を少なくとも解決するための上りリンクサウンディング信号トリガー方法及びシステム並びに装置を提供する。
【０００８】
前述の目的を達成するために、以下の技術的解決策が本発明の実施例において提供される。
【０００９】
第１の態様によれば、上りリンクサウンディング信号トリガー方法が提供され、方法は、
基地局により、物理下りリンク制御チャネルを使用することにより１つの下りリンク制御情報DCIを送信するステップであり、DCIは、基地局により管理されたセル内のa個のユーザ装置UEのそれぞれに対応するサウンディングリファレンス信号SRS制御情報を含み、aは2以上の正の整数であるステップを含む。
【００１０】
本発明のこの実施例において提供される上りリンクサウンディング信号トリガー方法では、物理下りリンク制御チャネルを使用することにより基地局により送信されるDCIは、基地局により管理されたセル内のa個のUEのそれぞれに対応するSRS制御情報を含み、aは2以上の正の整数である。すなわち、本発明のこの実施例におけるDCIは、複数のUEに対してSRSを１回送信するようにトリガーするために使用できる。したがって、SRSが無線通信システムにおいて短時間に複数のUEについて急速に設定される必要があるときに、物理レイヤPDCCH/EPDCCHのシグナリングオーバーヘッドが低減できる。
【００１１】
第２の態様によれば、上りリンクサウンディング信号トリガー方法が提供され、方法は、
ユーザ装置UEにより、基地局により送信された１つの下りリンク制御情報DCIを受信するステップであり、DCIは、基地局により管理されたセル内のa個のユーザ装置UEのそれぞれに対応するサウンディングリファレンス信号SRS制御情報を含み、aは2以上の正の整数であるステップと、
UEにより、DCIがUEに対応するSRS制御情報を含むと検出した後に、UEに対応するSRS制御情報に従ってSRSをトリガーするステップと
を含む。
【００１２】
本発明のこの実施例において提供される上りリンクサウンディング信号トリガー方法では、物理下りリンク制御チャネルを使用することにより基地局により送信されるDCIは、基地局により管理されたセル内のa個のUEのそれぞれに対応するSRS制御情報を含み、aは2以上の正の整数である。すなわち、本発明のこの実施例におけるDCIは、複数のUEに対してSRSを１回送信するようにトリガーするために使用できる。したがって、SRSが無線通信システムにおいて短時間に複数のUEについて急速に設定される必要があるときに、物理レイヤPDCCH/EPDCCHのシグナリングオーバーヘッドが低減できる。さらに、DCIがUEに対応するSRS制御情報を含むと検出した後に、UEは、UEに対応するSRS制御情報に従ってSRSをトリガーしてもよい。すなわち、従来技術における周期的SRSトリガー機構との違いは、本発明のこの実施例では、周期的SRS又は非周期的SRSに拘わらず、SRSがDCIを使用することによりトリガーされる点にある。DCIに基づく設定は、動的な設定であり、SRSは再設定できるか、或いは設定は適時に停止できる。したがって、柔軟な設定要件が満たされることができる。
【００１３】
第３の態様によれば、基地局が提供され、基地局は、送信ユニットを含み、
送信ユニットは、物理下りリンク制御チャネルを使用することにより１つの下りリンク制御情報DCIを送信するように構成され、DCIは、基地局により管理されたセル内のa個のユーザ装置UEのそれぞれに対応するサウンディングリファレンス信号SRS制御情報を含み、aは2以上の正の整数である。
【００１４】
本発明のこの実施例における基地局は、第１の態様における上りリンクサウンディング信号トリガー方法を実行するように構成されてもよい。したがって、基地局により達成できる技術的効果について、第１の態様において基地局により上りリンクサウンディング信号トリガー方法を実行する技術的効果を参照する。詳細はここでは再び説明しない。
【００１５】
第４の態様によれば、ユーザ装置UEが提供され、UEは、受信ユニットと処理ユニットとを含み、
受信ユニットは、基地局により送信された１つの下りリンク制御情報DCIを受信するように構成され、DCIは、基地局により管理されたセル内のa個のユーザ装置UEのそれぞれに対応するサウンディングリファレンス信号SRS制御情報を含み、aは2以上の正の整数であり、
処理ユニットは、DCIがUEに対応するSRS制御情報を含むと検出された後に、UEに対応するSRS制御情報に従ってSRSをトリガーするように構成される。
【００１６】
本発明のこの実施例におけるUEは、第２の態様における上りリンクサウンディング信号トリガー方法を実行するように構成されてもよい。したがって、UEにより達成できる技術的効果について、第２の態様においてUEにより上りリンクサウンディング信号トリガー方法を実行する技術的効果を参照する。詳細はここでは再び説明しない。
【００１７】
任意選択で、第１の態様〜第４の態様のいずれか１つにおいて、a個のUEの中の第iのUEに対応するSRS制御情報のビット数はkiであり、1≦i≦aであり、iは整数であり、kiは1以上の正の整数である。
【００１８】
本発明のこの実施例では、異なる適用シナリオについて、第iのUEに対応するSRS制御情報内のkiビットにより表される
【数１】
2019503106.tif 000003
個の組み合わせ状態は、異なる指示方式に対応しており、例として提供されるいくつかの指示方式は以下の通りである。
【００１９】
第１の可能な実現方式では、第iのUEに対応するSRS制御情報内のkiビットにより表される
【数２】
2019503106.tif 000004
個の組み合わせ状態の中のsi個の組み合わせ状態は、UEがSRSを非周期的に送信するときに必要なSRSパラメータのセットを示すために別々に使用され、
【数３】
2019503106.tif 000005
個の組み合わせ状態の中のsi個の組み合わせ状態以外の組み合わせ状態のうち１つは、UEに対してSRSを送信しないように命令するために使用され、
【数４】
2019503106.tif 000006
であり、siは整数である。
【００２０】
第２の可能な実現方式では、第iのUEに対応するSRS制御情報内のkiビットのうち１つは、UEに対してSRSを周期的又は非周期的に送信するように命令するために使用され、kiビットの中の他の(ki-1)ビットにより表される
【数５】
2019503106.tif 000007
個の組み合わせ状態の中のsi個の組み合わせ状態は、UEがSRSを周期的又は非周期的に送信するときに必要なSRSパラメータのセットを示すために別々に使用され、
【数６】
2019503106.tif 000008
個の組み合わせ状態の中のsi個の組み合わせ状態以外の組み合わせ状態のうち１つは、UEに対してSRSを送信しないように命令するために使用され、
【数７】
2019503106.tif 000009
であり、siは整数であり、kiは1より大きい正の整数である。
【００２１】
第３の可能な実現方式では、第iのUEに対応するSRS制御情報内のkiビットにより表される
【数８】
2019503106.tif 000010
個の組み合わせ状態の中のsi個の組み合わせ状態は、UEがSRSを周期的に送信するときに必要なSRSパラメータのセットを示すために別々に使用され、
【数９】
2019503106.tif 000011
個の組み合わせ状態の中のsi個の組み合わせ状態以外の組み合わせ状態のうち１つは、UEに対してSRSを送信しないように命令するために使用され、
【数１０】
2019503106.tif 000012
であり、siは整数である。
【００２２】
明らかに、代替として、kiビットにより表される
【数１１】
2019503106.tif 000013
個の組み合わせ状態は、他の指示方式に対応していてもよく、前述の指示方式は、説明のための単なる例である。これは、本発明のこの実施例では具体的に限定されない。さらに、同じ指示方式が異なる表現形式を有してもよい。例えば、第２の可能な実現方式において、他の指示方式が表現のために使用されてもよく、すなわち、
第iのUEに対応するSRS制御情報内のkiビットにより表される
【数１２】
2019503106.tif 000014
個の組み合わせ状態の中の
【数１３】
2019503106.tif 000015
個の組み合わせ状態は、UEに対してSRSを周期的に送信するように命令するために使用され、
【数１４】
2019503106.tif 000016
個の組み合わせ状態の中のsi個の組み合わせ状態は、UEがSRSを周期的に送信するときに必要な周期的SRSパラメータのsi個のセットを示すためにそれぞれ使用され、
【数１５】
2019503106.tif 000017
個の組み合わせ状態の中のsi個の組み合わせ状態以外の組み合わせ状態のうち１つは、UEに対してSRSを送信しないように命令するために使用され、
【数１６】
2019503106.tif 000018
であり、siは整数であり、kiは1より大きい正の整数であり、
【数１７】
2019503106.tif 000019
個の組み合わせ状態の中の
【数１８】
2019503106.tif 000020
個の組み合わせ状態以外の
【数１９】
2019503106.tif 000021
個の組み合わせ状態は、UEに対してSRSを非周期的に送信するように命令するために使用され、
【数２０】
2019503106.tif 000022
個の組み合わせ状態の中のti個の組み合わせ状態は、UEがSRSを非周期的に送信するときに必要な非周期的SRSパラメータのti個のセットを示すためにそれぞれ使用され、
【数２１】
2019503106.tif 000023
個の組み合わせ状態の中のti個の組み合わせ状態以外の組み合わせ状態のうち１つは、UEに対してSRSを送信しないように命令するために使用され、
【数２２】
2019503106.tif 000024
であり、tiは整数である。
【００２３】
第２の可能な実現方式における指示方式の表現形式は、本発明のこの実施例では具体的に限定されない。
【００２４】
任意選択で、第１の可能な実現方式を参照して、第２の態様において、UEにより、UEに対応するSRS制御情報に従ってSRSをトリガーするステップは、
UEに対応するSRS制御情報が、UEがSRSを非周期的に送信するときに必要なSRSパラメータのセットを示すために使用される場合、UEにより、UEがSRSを非周期的に送信するときに必要なSRSパラメータのセットに従って、SRSを基地局に送信するステップ、又は
UEに対応するSRS制御情報が、SRSを送信しないように命令するために使用される場合、UEにより、SRSを基地局に送信しないステップ
を具体的に含んでもよい。
【００２５】
任意選択で、第２の可能な実現方式を参照して、第２の態様において、UEにより、UEに対応するSRS制御情報に従ってSRSをトリガーするステップは、
UEに対応するSRS制御情報内の1ビットが、UEに対してSRSを周期的に送信するように命令するために使用され、UEに対応するSRS制御情報内の1ビット以外のビットが、UEがSRSを周期的に送信するときに必要なSRSパラメータのセットを示すために使用される場合、UEにより、UEがSRSを周期的に送信するときに必要なSRSパラメータのセットに従って、SRSを基地局に送信するステップ、
UEに対応するSRS制御情報内の1ビットが、UEに対してSRSを周期的に送信するように命令するために使用され、UEに対応するSRS制御情報内の1ビット以外のビットが、UEに対してSRSを送信しないように命令するために使用される場合、UEにより、SRSを基地局に送信しないステップ、
UEに対応するSRS制御情報内の1ビットが、UEに対してSRSを非周期的に送信するように命令するために使用され、UEに対応するSRS制御情報内の1ビット以外のビットが、UEがSRSを非周期的に送信するときに必要なSRSパラメータのセットを示すために使用される場合、UEにより、UEがSRSを非周期的に送信するときに必要なSRSパラメータのセットに従って、SRSを基地局に送信するステップ、又は
UEに対応するSRS制御情報内の1ビットが、UEに対してSRSを非周期的に送信するように命令するために使用され、UEに対応するSRS制御情報内の1ビット以外のビットが、UEに対してSRSを送信しないように命令するために使用される場合、UEにより、SRSを基地局に送信しないステップ
を具体的に含んでもよい。
【００２６】
任意選択で、第１の態様において、方法は、
基地局により、第１の無線リソース制御RRC（RRC2）シグナリングをUEに送信するステップであり、第１のRRCシグナリングは、第１のインジケータを含み、第１のインジケータは、周期的SRSがDCIを使用することによりトリガーされることを示すために使用されるステップを更に含んでもよい。
【００２７】
対応して、第２の態様の可能な実現方式では、UEに対応するSRS制御情報内の1ビットが、UEに対してSRSを周期的に送信するように命令するために使用される場合、UEにより、UEがSRSを周期的に送信するときに必要なSRSパラメータのセットに従って、SRSを基地局に送信するステップの前に、或いはUEにより、SRSを基地局に送信しないステップの前に、方法は、
UEにより、基地局により送信された第２のRRC（RRC2）シグナリングを受信するステップであり、第２のRRCシグナリングは、第１のインジケータを含み、第１のインジケータは、周期的SRSがDCIを使用することによりトリガーされることを示すために使用されるステップを更に含んでもよい。
【００２８】
任意選択で、UEに対応するSRS制御情報内の1ビットが、UEに対してSRSを周期的に送信するように命令するために使用される場合、UEにより、UEがSRSを周期的に送信するときに必要なSRSパラメータのセットに従って、SRSを基地局に送信するステップは、
UEに対応するSRS制御情報内の1ビットが、UEに対してSRSを周期的に送信するように命令するために使用される場合、UEにより、第１のインジケータ及びUEがSRSを周期的に送信するときに必要なSRSパラメータのセットに従って、SRSを基地局に送信するステップを含むか、或いは
UEに対応するSRS制御情報内の1ビットが、UEに対してSRSを周期的に送信するように命令するために使用される場合、UEにより、SRSを基地局に送信しないステップは、
UEに対応するSRS制御情報内の1ビットが、UEに対してSRSを周期的に送信するように命令するために使用される場合、UEにより、第１のインジケータに従って、SRSを基地局に送信しないステップを含む。
【００２９】
任意選択で、第３の可能な実現方式を参照して、第２の態様において、UEにより、UEに対応するSRS制御情報に従ってSRSをトリガーするステップは、
UEに対応するSRS制御情報が、UEがSRSを周期的に送信するときに必要なSRSパラメータのセットを示すために使用される場合、UEにより、UEがSRSを周期的に送信するときに必要なSRSパラメータのセットに従って、SRSを基地局に送信するステップ、又は
UEに対応するSRS制御情報が、SRSを送信しないように命令するために使用される場合、UEにより、SRSを基地局に送信しないステップ
を具体的に含んでもよい。
【００３０】
任意選択で、第１の可能な実現方式を参照して、第４の態様において、UEは、送信ユニットを更に含む。
【００３１】
処理ユニットは、
UEに対応するSRS制御情報が、UEがSRSを非周期的に送信するときに必要なSRSパラメータのセットを示すために使用される場合、送信ユニットを使用することにより、UEがSRSを非周期的に送信するときに必要なSRSパラメータのセットに従って、SRSを基地局に送信するか、或いは
UEに対応するSRS制御情報が、SRSを送信しないように命令するために使用される場合、SRSを基地局に送信しないように具体的に構成される。
【００３２】
任意選択で、第２の可能な実現方式を参照して、第４の態様において、UEは、送信ユニットを更に含む。
【００３３】
処理ユニットは、
UEに対応するSRS制御情報内の1ビットが、UEに対してSRSを周期的に送信するように命令するために使用され、UEに対応するSRS制御情報内の1ビット以外のビットが、UEがSRSを周期的に送信するときに必要なSRSパラメータのセットを示すために使用される場合、送信ユニットを使用することにより、UEがSRSを周期的に送信するときに必要なSRSパラメータのセットに従って、SRSを基地局に送信するか、或いは
UEに対応するSRS制御情報内の1ビットが、UEに対してSRSを周期的に送信するように命令するために使用され、UEに対応するSRS制御情報内の1ビット以外のビットが、UEに対してSRSを送信しないように命令するために使用される場合、SRSを基地局に送信しないか、或いは
UEに対応するSRS制御情報内の1ビットが、UEに対してSRSを非周期的に送信するように命令するために使用され、UEに対応するSRS制御情報内の1ビット以外のビットが、UEがSRSを非周期的に送信するときに必要なSRSパラメータのセットを示すために使用される場合、送信ユニットを使用することにより、UEがSRSを非周期的に送信するときに必要なSRSパラメータのセットに従って、SRSを基地局に送信するか、或いは
UEに対応するSRS制御情報内の1ビットが、UEに対してSRSを非周期的に送信するように命令するために使用され、UEに対応するSRS制御情報内の1ビット以外のビットが、UEに対してSRSを送信しないように命令するために使用される場合、SRSを基地局に送信しないように具体的に構成される。
【００３４】
任意選択で、第３の態様において、送信ユニットは、第１の無線リソース制御RRC（RRC2）シグナリングをUEに送信するように更に構成され、第１のRRCシグナリングは、第１のインジケータを含み、第１のインジケータは、周期的SRSがDCIを使用することによりトリガーされることを示すために使用される。
【００３５】
対応して、第４の態様の可能な実現方式では、受信ユニットは、UEに対応するSRS制御情報内の1ビットが、UEに対してSRSを周期的に送信するように命令するために使用される場合、処理ユニットが、送信ユニットを使用することにより、UEがSRSを周期的に送信するときに必要なSRSパラメータのセットに従って、SRSを基地局に送信する前に、或いは処理ユニットがSRSを基地局に送信しないと決定する前に、基地局により送信された第２のRRC（RRC2）シグナリングを受信するように更に構成され、第２のRRCシグナリングは、第１のインジケータを含み、第１のインジケータは、周期的SRSがDCIを使用することによりトリガーされることを示すために使用される。
【００３６】
任意選択で、処理ユニットは、
UEに対応するSRS制御情報内の1ビットが、UEに対してSRSを周期的に送信するように命令するために使用される場合、送信ユニットを使用することにより、第１のインジケータ及びUEがSRSを周期的に送信するときに必要なSRSパラメータのセットに従って、SRSを基地局に送信するか、或いは第１のインジケータに従って、SRSを基地局に送信しないように具体的に構成される。
【００３７】
任意選択で、第３の可能な実現方式を参照して、第４の態様において、UEは、送信ユニットを更に含む。
【００３８】
処理ユニットは、
UEに対応するSRS制御情報が、UEがSRSを周期的に送信するときに必要なSRSパラメータのセットを示すために使用される場合、送信ユニットを使用することにより、UEがSRSを周期的に送信するときに必要なSRSパラメータのセットに従って、SRSを基地局に送信するか、或いは
UEに対応するSRS制御情報が、SRSを送信しないように命令するために使用される場合、SRSを基地局に送信しないように具体的に構成される。
【００３９】
第２の可能な実現方式又は第３の可能な実現方式から、本発明のこの実施例において提供される上りリンクサウンディング信号トリガー方法が周期的SRSをトリガーするために使用されるときに、周期的SRSを送信するのを停止するための機構が提供され、すなわち、１つの組み合わせ状態は、UEに対してSRSを送信しないように命令するために使用され、それにより、周期的SRSが柔軟に設定でき、リソース利用率が改善されることが習得できる。
【００４０】
任意選択で、第１の態様において、方法は、
基地局により、第２のRRC（RRC1）シグナリングをUEに送信するステップであり、第２のRRCシグナリングは、DCI内のビット位置とa個のUEのそれぞれとの間の対応関係を搬送するステップを更に含んでもよい。
【００４１】
対応して、第２の態様において、方法は、
UEにより、基地局により送信された第１の無線リソース制御RRC（RRC1）シグナリングを受信するステップであり、第１のRRCシグナリングは、DCI内のビット位置とa個のUEのそれぞれとの間の対応関係を搬送するステップと、
UEにより、対応関係に従って、UEに対応するSRS制御情報を決定するステップと
を更に含んでもよい。
【００４２】
任意選択で、第３の態様において、送信ユニットは、第２のRRC（RRC1）シグナリングをUEに送信するように更に構成され、第２のRRCシグナリングは、DCI内のビット位置とa個のUEのそれぞれとの間の対応関係を搬送する。
【００４３】
対応して、第４の態様において、受信ユニットは、基地局により送信された第１の無線リソース制御RRC（RRC1）シグナリングを受信するように更に構成され、第１のRRCシグナリングは、DCI内のビット位置とa個のUEのそれぞれとの間の対応関係を搬送し、
処理ユニットは、対応関係に従って、UEに対応するSRS制御情報を決定する。
【００４４】
任意選択で、第１の態様において、方法は、
基地局により、第３のRRC（RRC3）シグナリングをUEに送信するステップであり、第３のRRCシグナリングは、指示情報を搬送し、指示情報は、UEに対して非周期的SRSが１回トリガーされる間にSRSをM回送信するように命令するために使用され、Mは1以上の正の整数であるステップを更に含んでもよい。
【００４５】
対応して、第２の態様において、方法は、
UEにより、基地局により送信された第３のRRC（RRC3）シグナリングを受信するステップであり、第３のRRCシグナリングは、指示情報を搬送し、指示情報は、UEに対して非周期的SRSが１回トリガーされる間にSRSをM回送信するように命令するために使用され、Mは1以上の正の整数であるステップを更に含んでもよい。
【００４６】
任意選択で、UEにより、UEがSRSを非周期的に送信するときに必要なSRSパラメータのセットに従って、SRSを基地局に送信するステップは、
UEにより、指示情報を参照して、UEがSRSを非周期的に送信するときに必要なSRSパラメータのセットに従って、SRSを基地局にM回送信するステップを具体的に含んでもよい。
【００４７】
任意選択で、第３の態様において、送信ユニットは、第３のRRC（RRC3）シグナリングをUEに送信するように更に構成され、第３のRRCシグナリングは、指示情報を搬送し、指示情報は、UEに対して非周期的SRSが１回トリガーされる間にSRSをM回送信するように命令するために使用され、Mは1以上の正の整数である。
【００４８】
対応して、第４の態様において、受信ユニットは、基地局により送信された第３のRRC（RRC3）シグナリングを受信するように更に構成され、第３のRRCシグナリングは、指示情報を搬送し、指示情報は、UEに対して非周期的SRSが１回トリガーされる間にSRSをM回送信するように命令するために使用され、Mは1以上の正の整数である。
【００４９】
任意選択で、処理ユニットは、
送信ユニットを使用することにより、指示情報を参照して、UEがSRSを非周期的に送信するときに必要なSRSパラメータのセットに従って、SRSを基地局にM回送信するように具体的に構成される。
【００５０】
本発明の実施例において提供される上りリンクサウンディング信号トリガー方法又は基地局が非周期的SRSをトリガーするために使用されるときに、SRSは、DCIを使用することによりM回トリガーされてもよい。これは、非周期的SRSがトリガーされるときに、１つのDCIが１つのみのUEに対してSRSを１回送信するようにトリガーするために使用できる従来の方式に比べて、DCIシグナリングを低減してシグナリングオーバーヘッドを低減できる。
【００５１】
さらに、既存の周期的SRS伝送では、SRSは、RRCに基づく設定を使用することによりトリガーされる。RRCに基づく設定は、半静的な設定であり、SRSは再設定できないか、或いは設定は適時に停止できない。したがって、柔軟な設定要件が決して満たされない。この問題を解決するために、本発明の実施例は、既存の周期的SRS伝送における柔軟性のない設定の問題を少なくとも解決するための上りリンクチャネルサウンディング方法及びシステム並びに装置を提供する。
【００５２】
前述の目的を達成するために、以下の技術的解決策が本発明の実施例において提供される。
【００５３】
第５の態様によれば、上りリンクサウンディング信号トリガー方法が提供され、方法は、
ユーザ装置UEにより、基地局により送信された無線リソース制御RRC（RRC4）シグナリングを受信するステップであり、RRCシグナリングは、第１のインジケータを含み、第１のインジケータは、周期的SRSが下りリンク制御情報DCIを使用することによりトリガーされることを示すために使用されるステップと、
UEにより、基地局により送信された１つのDCIを受信するステップであり、DCIは、基地局により管理されたセル内の第iのUEに対応するサウンディングリファレンス信号SRS制御情報を含み、1≦i≦Nであり、Nは基地局により管理されたセル内のUEの総数であり、i及びNの双方は正の整数であるステップと、
UEにより、DCIがUEに対応するSRS制御情報を含むと検出した後に、第１のインジケータ及びUEに対応するSRS制御情報に従ってSRSをトリガーするステップと
を含む。
【００５４】
従来技術における周期的SRSトリガー機構との違いは、本発明のこの実施例では、基地局がRRCシグナリングを送信し、RRCシグナリングが第１のインジケータを含み、第１のインジケータが、SRSがDCIを使用することによりトリガーされることを示すために使用される点にある。このように、UEが基地局により送信され且つ基地局により管理されたセル内の第iのUEに対応するSRS制御情報を含むDCIを受信し、DCIがUEに対応するSRS制御情報を含むと検出した後に、UEは、第１のインジケータ及びUEに対応するSRS制御情報に従ってSRSをトリガーできる。DCIに基づく設定は、動的な設定であり、SRSは再設定できるか、或いは設定は適時に停止できる。したがって、柔軟な設定要件が満たされることができる。
【００５５】
第６の態様によれば、上りリンクサウンディング信号トリガー方法が提供され、方法は、
基地局により、無線リソース制御RRC（RRC4）シグナリングを送信するステップであり、RRCシグナリングは、第１のインジケータを含み、第１のインジケータは、周期的サウンディングリファレンス信号SRSが下りリンク制御情報DCIを使用することによりトリガーされることを示すために使用されるステップと、
基地局により、物理下りリンク制御チャネルを使用することにより１つのDCIを送信するステップであり、DCIは、基地局により管理されたセル内の第iのUEに対応するSRS制御情報を含み、1≦i≦Nであり、Nは基地局により管理されたセル内のUEの総数であり、i及びNの双方は正の整数であるステップと
を含む。
【００５６】
従来技術における周期的SRSトリガー機構との違いは、本発明のこの実施例では、基地局がRRCシグナリングを送信し、RRCシグナリングが第１のインジケータを含み、第１のインジケータが、SRSがDCIを使用することによりトリガーされることを示すために使用される点にある。このように、UEが基地局により送信され且つ基地局により管理されたセル内の第iのUEに対応するSRS制御情報を含むDCIを受信し、DCIがUEに対応するSRS制御情報を含むと検出した後に、UEは、第１のインジケータ及びUEに対応するSRS制御情報に従ってSRSをトリガーできる。DCIに基づく設定は、動的な設定であり、SRSは再設定できるか、或いは設定は適時に停止できる。したがって、柔軟な設定要件が満たされることができる。
【００５７】
第７の態様によれば、ユーザ装置UEが提供され、UEは、受信ユニットと処理ユニットとを含み、
受信ユニットは、基地局により送信された無線リソース制御RRC（RRC4）シグナリングを受信するように構成され、RRCシグナリングは、第１のインジケータを含み、第１のインジケータは、周期的SRSが下りリンク制御情報DCIを使用することによりトリガーされることを示すために使用され、
受信ユニットは、基地局により送信された１つのDCIを受信するように更に構成され、DCIは、基地局により管理されたセル内の第iのUEに対応するサウンディングリファレンス信号SRS制御情報を含み、1≦i≦Nであり、Nは基地局により管理されたセル内のUEの総数であり、i及びNの双方は正の整数であり、
処理ユニットは、DCIがUEに対応するSRS制御情報を含むと検出された後に、第１のインジケータ及びUEに対応するSRS制御情報に従ってSRSをトリガーするように構成される。
【００５８】
本発明のこの実施例におけるUEは、第５の態様における上りリンクサウンディング信号トリガー方法を実行するように構成されてもよい。したがって、UEにより達成できる技術的効果について、第５の態様においてUEにより上りリンクサウンディング信号トリガー方法を実行する技術的効果を参照する。詳細はここでは再び説明しない。
【００５９】
第８の態様によれば、基地局が提供され、基地局は、送信ユニットを含み、
送信ユニットは、無線リソース制御RRC（RRC4）シグナリングを送信するように構成され、RRCシグナリングは、第１のインジケータを含み、第１のインジケータは、周期的サウンディングリファレンス信号SRSが下りリンク制御情報DCIを使用することによりトリガーされることを示すために使用され、
送信ユニットは、物理下りリンク制御チャネルを使用することにより１つのDCIを送信するように更に構成され、DCIは、基地局により管理されたセル内の第iのUEに対応するSRS制御情報を含み、1≦i≦Nであり、Nは基地局により管理されたセル内のUEの総数であり、i及びNの双方は正の整数である。
【００６０】
本発明のこの実施例における基地局は、第６の態様における上りリンクサウンディング信号トリガー方法を実行するように構成されてもよい。したがって、基地局により達成できる技術的効果について、第６の態様において基地局により上りリンクサウンディング信号トリガー方法を実行する技術的効果を参照する。詳細はここでは再び説明しない。
【００６１】
任意選択で、第５の態様〜第８の態様のいずれか１つにおいて、第iのUEに対応するSRS制御情報のビット数はkiであり、kiビットのうち１つは、UEに対してSRSを周期的又は非周期的に送信するように命令するために使用され、kiビットの中の他の(ki-1)ビットにより表される
【数２３】
2019503106.tif 000025
個の組み合わせ状態の中のs個の組み合わせ状態は、UEがSRSを周期的又は非周期的に送信するときに必要なSRSパラメータのセットを示すために別々に使用され、
【数２４】
2019503106.tif 000026
個の組み合わせ状態の中のs個の組み合わせ状態以外の組み合わせ状態のうち１つは、UEに対してSRSを送信しないように命令するために使用され、
【数２５】
2019503106.tif 000027
であり、sは整数であり、kiは1より大きい正の整数である。
【００６２】
任意選択で、第５の態様において、UEにより、第１のインジケータ及びUEに対応するSRS制御情報に従ってSRSをトリガーするステップは、
UEに対応するSRS制御情報内の1ビットが、UEに対してSRSを周期的に送信するように命令するために使用され、UEに対応するSRS制御情報内の1ビット以外のビットが、UEがSRSを周期的に送信するときに必要なSRSパラメータのセットを示すために使用される場合、UEにより、第１のインジケータ及びUEがSRSを周期的に送信するときに必要なSRSパラメータのセットに従って、SRSを基地局に送信するステップ、又は
UEに対応するSRS制御情報内の1ビットが、UEに対してSRSを周期的に送信するように命令するために使用され、UEに対応するSRS制御情報内の1ビット以外のビットが、UEに対してSRSを送信しないように命令するために使用される場合、UEにより、第１のインジケータに従って、SRSを基地局に送信しないステップ、又は
UEに対応するSRS制御情報内の1ビットが、UEに対してSRSを非周期的に送信するように命令するために使用され、UEに対応するSRS制御情報内の1ビット以外のビットが、UEがSRSを非周期的に送信するときに必要なSRSパラメータのセットを示すために使用される場合、UEにより、UEがSRSを非周期的に送信するときに必要なSRSパラメータのセットに従って、SRSを基地局に送信するステップ、又は
UEに対応するSRS制御情報内の1ビットが、UEに対してSRSを非周期的に送信するように命令するために使用され、UEに対応するSRS制御情報内の1ビット以外のビットが、UEに対してSRSを送信しないように命令するために使用される場合、UEにより、SRSを基地局に送信しないステップ
を具体的に含んでもよい。
【００６３】
任意選択で、第７の態様において、UEは、送信ユニットを更に含む。
【００６４】
処理ユニットは、
UEに対応するSRS制御情報内の1ビットが、UEに対してSRSを周期的に送信するように命令するために使用され、UEに対応するSRS制御情報内の1ビット以外のビットが、UEがSRSを周期的に送信するときに必要なSRSパラメータのセットを示すために使用される場合、送信ユニットを使用することにより、第１のインジケータ及びUEがSRSを周期的に送信するときに必要なSRSパラメータのセットに従って、SRSを基地局に送信するか、或いは
UEに対応するSRS制御情報内の1ビットが、UEに対してSRSを周期的に送信するように命令するために使用され、UEに対応するSRS制御情報内の1ビット以外のビットが、UEに対してSRSを送信しないように命令するために使用される場合、第１のインジケータに従って、SRSを基地局に送信しないか、或いは
UEに対応するSRS制御情報内の1ビットが、UEに対してSRSを非周期的に送信するように命令するために使用され、UEに対応するSRS制御情報内の1ビット以外のビットが、UEがSRSを非周期的に送信するときに必要なSRSパラメータのセットを示すために使用される場合、送信ユニットを使用することにより、UEがSRSを非周期的に送信するときに必要なSRSパラメータのセットに従って、SRSを基地局に送信するか、或いは
UEに対応するSRS制御情報内の1ビットが、UEに対してSRSを非周期的に送信するように命令するために使用され、UEに対応するSRS制御情報内の1ビット以外のビットが、UEに対してSRSを送信しないように命令するために使用される場合、SRSを基地局に送信しないように具体的に構成される。
【００６５】
任意選択で、第５の態様〜第８の態様のいずれか１つにおいて、DCIの巡回冗長検査CRCは、第１の無線ネットワーク一時識別子RNTI又は第２のRNTIを使用することによりスクランブル化され、第１のRNTIは、基地局により管理されたセル内の第iのUEによりSRSを周期的に送信することに対応するRNTIであり、第２のRNTIは、基地局により管理されたセル内の第iのUEによりSRSを非周期的に送信することに対応するRNTIである。
【００６６】
任意選択で、第５の態様において、UEにより、DCIがUEに対応するSRS制御情報を含むと検出した後に、第１のインジケータ及びUEに対応するSRS制御情報に従ってSRSをトリガーするステップは、
UEが、第１のRNTIを使用することにより、DCIがUEに対応するSRS制御情報を含むと検出し、UEに対応するSRS制御情報が、UEがSRSを周期的に送信するときに必要なSRSパラメータのセットを示すために使用される場合、UEにより、第１のインジケータ及びUEがSRSを周期的に送信するときに必要なSRSパラメータのセットに従って、SRSを基地局に送信するステップ、又は
UEが、第１のRNTIを使用することにより、DCIがUEに対応するSRS制御情報を含むと検出し、UEに対応するSRS制御情報がUEに対してSRSを送信しないように命令するために使用される場合、UEにより、第１のインジケータに従って、SRSを基地局に送信しないステップ、又は
UEが、第２のRNTIを使用することにより、DCIがUEに対応するSRS制御情報を含むと検出し、UEに対応するSRS制御情報が、UEがSRSを非周期的に送信するときに必要なSRSパラメータのセットを示すために使用される場合、UEにより、第１のインジケータ及びUEがSRSを非周期的に送信するときに必要なSRSパラメータのセットに従って、SRSを基地局に送信するステップ、又は
UEが、第２のRNTIを使用することにより、DCIがUEに対応するSRS制御情報を含むと検出し、UEに対応するSRS制御情報がUEに対してSRSを送信しないように命令するために使用される場合、UEにより、第１のインジケータに従って、SRSを基地局に送信しないステップ
を含む。
【００６７】
任意選択で、第７の態様において、UEは、送信ユニットを更に含む。
【００６８】
処理ユニットは、
UEが、第１のRNTIを使用することにより、DCIがUEに対応するSRS制御情報を含むと検出し、UEに対応するSRS制御情報が、UEがSRSを周期的に送信するときに必要なSRSパラメータのセットを示すために使用される場合、送信ユニットを使用することにより、第１のインジケータ及びUEがSRSを周期的に送信するときに必要なSRSパラメータのセットに従って、SRSを基地局に送信するか、或いは
UEが、第１のRNTIを使用することにより、DCIがUEに対応するSRS制御情報を含むと検出し、UEに対応するSRS制御情報がUEに対してSRSを送信しないように命令するために使用される場合、第１のインジケータに従って、SRSを基地局に送信しないか、或いは
UEが、第２のRNTIを使用することにより、DCIがUEに対応するSRS制御情報を含むと検出し、UEに対応するSRS制御情報が、UEがSRSを非周期的に送信するときに必要なSRSパラメータのセットを示すために使用される場合、送信ユニットを使用することにより、第１のインジケータ及びUEがSRSを非周期的に送信するときに必要なSRSパラメータのセットに従って、SRSを基地局に送信するか、或いは
UEが、第２のRNTIを使用することにより、DCIがUEに対応するSRS制御情報を含むと検出し、UEに対応するSRS制御情報がUEに対してSRSを送信しないように命令するために使用される場合、第１のインジケータに従って、SRSを基地局に送信しないように具体的に構成される。
【００６９】
２つの実現方式は、DCIが非周期的SRS又は周期的SRSをトリガーするために使用されてもよいシナリオにおいてUEがDCIを受信したときに、UEが非周期的SRSをトリガーするか周期的SRSをトリガーするかを決定できる例として単に提供されている点に留意すべきである。明らかに、他の可能な実現方式が存在してもよい。これは、本発明のこの実施例では具体的に限定されない。
【００７０】
第９の態様によれば、プロセッサとメモリとシステムバスと通信インタフェースとを含む基地局が提供され、
メモリは、コンピュータ実行可能命令を記憶するように構成され、プロセッサ及びメモリは、システムバスを使用することにより接続され、基地局が動作するときに、プロセッサは、メモリに記憶されたコンピュータ実行可能命令を実行し、それにより、基地局は、第１の態様又は第１の態様の任意選択の方式のいずれか１つにおける上りリンクサウンディング信号トリガー方法を実行するか、或いは基地局は、第６の態様又は第６の態様の任意選択の方式のいずれか１つにおける上りリンクサウンディング信号トリガー方法を実行する。
【００７１】
本発明のこの実施例において提供される基地局は、上りリンクサウンディング信号トリガー方法を実行してもよい。したがって、基地局により達成できる技術的効果について、方法の実施例を参照する。本発明のこの実施例において詳細はここでは再び説明しない。
【００７２】
第１０の態様によれば、コンピュータ実行可能命令を含む読み取り可能媒体が提供され、基地局のプロセッサがコンピュータ実行可能命令を実行するときに、基地局は、第１の態様又は第１の態様の任意選択の方式のいずれか１つにおける上りリンクサウンディング信号トリガー方法を実行するか、或いは基地局は、第６の態様又は第６の態様の任意選択の方式のいずれか１つにおける上りリンクサウンディング信号トリガー方法を実行する。
【００７３】
本発明のこの実施例において提供される読み取り可能媒体は、上りリンクサウンディング信号トリガー方法を実行するために使用されてもよい。したがって、読み取り可能媒体により達成できる技術的効果について、方法の実施例を参照する。本発明のこの実施例において詳細はここでは再び説明しない。
【００７４】
第１１の態様によれば、プロセッサとメモリとシステムバスと通信インタフェースとを含むユーザ装置UEが提供され、
メモリは、コンピュータ実行可能命令を記憶するように構成され、プロセッサ及びメモリは、システムバスを使用することにより接続され、UEが動作するときに、プロセッサは、メモリに記憶されたコンピュータ実行可能命令を実行し、それにより、UEは、第２の態様又は第２の態様の任意選択の方式のいずれか１つにおける上りリンクサウンディング信号トリガー方法を実行するか、或いはUEは、第５の態様又は第５の態様の任意選択の方式のいずれか１つにおける上りリンクサウンディング信号トリガー方法を実行する。
【００７５】
本発明のこの実施例において提供されるUEは、上りリンクサウンディング信号トリガー方法を実行してもよい。したがって、UEにより達成できる技術的効果について、方法の実施例を参照する。本発明のこの実施例において詳細はここでは再び説明しない。
【００７６】
第１２の態様によれば、本発明の実施例は、コンピュータ実行可能命令を含む読み取り可能媒体を提供し、基地局のプロセッサがコンピュータ実行可能命令を実行するときに、UEは、第２の態様又は第２の態様の任意選択の方式のいずれか１つにおける上りリンクサウンディング信号トリガー方法を実行するか、或いはUEは、第５の態様又は第５の態様の任意選択の方式のいずれか１つにおける上りリンクサウンディング信号トリガー方法を実行する。
【００７７】
本発明のこの実施例において提供される読み取り可能媒体は、上りリンクサウンディング信号トリガー方法を実行するために使用されてもよい。したがって、読み取り可能媒体により達成できる技術的効果について、方法の実施例を参照する。本発明のこの実施例において詳細はここでは再び説明しない。
【００７８】
第１３の態様によれば、上りリンクサウンディング信号トリガーシステムが提供され、上りリンクサウンディング信号トリガーシステムは、基地局と複数のユーザ装置UEとを含み、基地局は、第３の態様又は第３の任意選択の方式のいずれか１つにおける基地局でもよく、複数のUEは、第４の態様又は第４の態様の任意選択の方式のいずれか１つにおけるUEでもよく、或いは
基地局は、第８の態様又は第８の任意選択の方式のいずれか１つにおける基地局でもよく、複数のUEは、第７の態様又は第７の態様の任意選択の方式のいずれか１つにおけるUEでもよい。
【００７９】
任意選択で、基地局は、第９の態様における基地局でもよく、複数のUEは、第１０の態様におけるUEでもよく、或いは基地局は、第１１の態様における基地局でもよく、複数のUEは、第１２の態様におけるUEでもよい。
【００８０】
本発明のこの実施例において提供される上りリンクサウンディング信号トリガーシステムは、第３の態様又は第３の態様の任意選択の方式のいずれか１つにおける基地局と、第４の態様又は第４の態様の任意選択の方式のいずれか１つにおけるUEとを含むか、或いは第８の態様又は第８の態様の任意選択の方式のいずれか１つにおける基地局と、第７の態様又は第７の態様の任意選択の方式のいずれか１つにおけるUEとを含む。したがって、システムにより達成できる技術的効果について、基地局又はUEの実施例を参照する。本発明のこの実施例において詳細はここでは再び説明しない。
【図面の簡単な説明】
【００８１】
【図１】本発明の実施例による上りリンクサウンディング信号トリガーシステムの概略アーキテクチャ図である。
【図２】本発明の実施例による上りリンクサウンディング信号トリガー方法の概略相互作用図１である。
【図３】本発明の実施例による上りリンクサウンディング信号トリガー方法の概略相互作用図２である。
【図４Ａ】本発明の実施例による上りリンクサウンディング信号トリガー方法の概略相互作用図３である。
【図４Ｂ】本発明の実施例による上りリンクサウンディング信号トリガー方法の概略相互作用図３である。
【図５】本発明の実施例による上りリンクサウンディング信号トリガー方法の概略相互作用図４である。
【図６】本発明の実施例による上りリンクサウンディング信号トリガー方法の概略相互作用図５である。
【図７Ａ】本発明の実施例による上りリンクサウンディング信号トリガー方法の概略相互作用図６である。
【図７Ｂ】本発明の実施例による上りリンクサウンディング信号トリガー方法の概略相互作用図６である。
【図８】本発明の実施例による上りリンクサウンディング信号トリガー方法の概略相互作用図７である。
【図９】本発明の実施例による基地局の概略構成図１である。
【図１０】本発明の実施例によるUEの概略構成図１である。
【図１１】本発明の実施例によるUEの概略構成図２である。
【図１２】本発明の実施例による基地局の概略構成図２である。
【図１３】本発明の実施例によるUEの概略構成図３である。
【発明を実施するための形態】
【００８２】
各実施例の説明を明確且つ簡潔にするために、まず、関係する技術について簡単に説明する。
【００８３】
背景技術に記載のように、既存のLTEプロトコルでは、UEは、２つのトリガー機構、すなわち、トリガータイプ0及びトリガータイプ1に基づいてSRSを送信する。トリガータイプ0は、周期的SRS伝送に対応しており、RRCシグナリングを使用することにより実行されるトリガーを意味する。トリガータイプ1は、非周期的SRS伝送に対応しており、PDCCH又はEPDCCHのDCIを使用することにより実行されるトリガーを意味する。DCIフォーマット0/4/1Aは、周波数分割複信（英文フルネーム：frequency  division  dual、英文略称：FDD）及び時分割複信（英文フルネーム：time  division  dual、英文略称：TDD）に使用され、DCIフォーマット2B/2C/2Dは、TDDのみに使用される。
【００８４】
従来技術では、非周期的SRS伝送のために、１つのDCIが１つのUEに対してSRSを１回送信するようにトリガーするために使用される。表１は、トリガータイプ1のDCIフォーマット4のSRS要求タイプテーブルである。
【表１】
2019503106.tif 000028
【００８５】
表１から、より高いレイヤのRRCシグナリングが、１つのUEのためのRRCパラメータの３つのセット及び非トリガー状態を設定するために使用でき、毎回、DCIフォーマット4内の2ビットが、RRCパラメータの３つのセットのうち１つをトリガーするため、或いはSRSをトリガーしないように（すなわち、非トリガー状態）命令するために使用されることが習得できる。
【００８６】
DCIフォーマット0/1A/2B/2C/2Dでは、より高いレイヤのRRCシグナリングが、UE毎にSRSパラメータの１つのセットを設定するために使用され、DCIフォーマット0/1A/2B/2C/2D内の1ビットが、SRSパラメータのセットをトリガーするために使用される。
【００８７】
しかし、既存の非周期的SRS伝送では、PDCCH又はEPDCCHの１つのDCIが、１つのみのUEに対してSRSを１回送信するように設定するために使用でき、SRSが無線通信システムにおいて短時間に複数のUEについて急速に設定される必要があるときに、システムは、比較的大きいシグナリングオーバーヘッドを有する。既存の周期的SRS伝送では、SRSは、RRCに基づく設定を使用することによりトリガーされる。RRCに基づく設定は、半静的な設定であり（設定が効力を生じるのに長い期間がかかり、通常では20〜30ミリ秒（ms）が必要である）、SRSは再設定できないか、或いは設定は適時に停止できない。したがって、柔軟な設定要件が決して満たされない。
【００８８】
この問題を解決するために、本発明の実施例は、上りリンクサウンディング信号トリガー方法及びシステム並びに装置を提供する。本発明の実施例における技術的解決策について、本発明の実施例における添付図面を参照して以下に説明する。
【００８９】
本発明の実施例における技術的解決策の明確な説明を容易にするために、「第１」及び「第２」のような用語は、基本的に同じ機能又は目的を提供する同じ項目又は類似の項目を区別するために、本発明の実施例において使用される点に留意すべきである。当業者は、「第１」及び「第２」のような用語が数量及び実行順序を限定しないことを理解し得る。
【００９０】
明細書における「/」は、又はの意味を示し、例えば、A/BはA又はBを示してもよい点に留意すべきである。明細書における「及び／又は」は、関連する対象物を説明するための関連付け関係のみを記述しており、３つの関係が存在してもよいことを表す。例えば、A及び／又はBは、以下の３つの場合、すなわち、Aのみが存在すること、A及びBの双方が存在すること、及びBのみが存在することを表してもよい。「複数」は、２つ以上を示す。
【００９１】
この出願において使用される「コンポーネント」、「モジュール」及び「システム」のような用語は、コンピュータに関するエンティティを示すために使用される。コンピュータに関するエンティティは、ハードウェア、ファームウェア、ハードウェアとソフトウェアとの組み合わせ、ソフトウェア又は動作中のソフトウェアでもよい。例えば、コンポーネントは、プロセッサ上で動作するプロセス、プロセッサ、オブジェクト、実行可能ファイル、実行スレッド、プログラム及び／又はコンピュータでもよいが、これらに限定されない。例えば、コンピューティングデバイスとコンピューティングデバイス上で動作するアプリケーションとの双方がコンポーネントでもよい。１つ以上のコンポーネントは、プロセス及び／又は実行スレッド内に存在してもよく、コンポーネントは、１つのコンピュータに位置してもよく、及び／又は２つ以上のコンピュータの間に分散されてもよい。さらに、これらのコンポーネントは、様々なデータ構造を有する様々なコンピュータ読み取り可能媒体から実行されてもよい。これらのコンポーネントは、ローカルプロセス及び／又はリモートプロセスを使用することにより、例えば、１つ以上のデータパケット（例えば、１つのコンポーネントからのデータであり、コンポーネントは、ローカルシステム又は分散システムにおける他のコンポーネントと相互作用するか、及び／又は信号を使用することによりインターネットのようなネットワークを介して他のシステムと相互作用する）を有する信号に従って通信してもよい。
【００９２】
無線通信ネットワークは、無線通信機能を提供するネットワークである。無線通信ネットワークは、異なる通信技術、例えば、符号分割多重アクセス（英文フルネーム：code  division  multiple  access、英文略称：CDMA）、広帯域符号分割多重アクセス（英文フルネーム：wideband  code  division  multiple  access、英文略称：WCDMA）、時分割多重アクセス（英文フルネーム：time  division  multiple  access、英文略称：TDMA）、周波数分割多重アクセス（英文フルネーム：frequency  division  multiple  access、英文略称：FDMA）、直交周波数分割多重アクセス（英文フルネーム：orthogonal  frequency-division  multiple  access、英文略称：OFDMA）、シングルキャリア周波数分割多重アクセス（英文フルネーム：single  carrier  FDMA、英文略称：SC-FDMA）及びキャリア検知多重アクセス衝突回避（英文フルネーム：carrier  sense  multiple  access  with  collision  avoidanceを使用してもよい。ネットワークは、異なるネットワークの容量、レート及び遅延のような要素に従って、2G（英文：generation）ネットワーク、3Gネットワーク及び4Gネットワークに分類されてもよい。典型的な2Gネットワークは、グローバル・システム・フォー・モバイル・コミュニケーションズ（英文フルネーム：global  system  for  mobile  communications/general  packet  radio  service、英文略称：GSM）ネットワーク又は汎用パケット無線サービス（英文フルネーム：general  packet  radio  service、英文略称：GPRS）ネットワークを含む。典型的な3Gネットワークは、ユニバーサル移動体通信システム（英文フルネーム：universal  mobile  telecommunications  system、英文略称：UMTS）ネットワークを含む。典型的な4Gネットワークは、LTEネットワークを含む。UMTSネットワークは、場合によってはユニバーサル地上無線アクセスネットワーク（英文フルネーム：universal  terrestrial  radio  access  network、英文略称：UTRAN）と呼ばれてもよい。LTEネットワークは、場合によっては進化型ユニバーサル地上無線アクセスネットワーク（英文フルネーム：evolved  universal  terrestrial  radio  access  network、英文略称：E-UTRAN）と呼ばれてもよい。異なるリソース割り当て方式に従って、ネットワークは、セルラ通信ネットワーク及び無線ローカルエリアネットワーク（英文フルネーム：wireless  local  area  networks、英文略称：WLAN）に分類されてもよい。セルラ通信ネットワークでは、リソースは、主にスケジューリングを用いて割り当てられ、WLANでは、リソースは、主にコンテンションに基づく方式で割り当てられる。2G、3G及び4Gネットワークの全てはセルラ通信ネットワークである。当業者は、技術の進展によって、本発明の実施例において提供される技術的解決策が4.5G若しくは5Gのような他の無線通信ネットワーク又は他の非セルラ通信ネットワークにも適用され得ることを認識するべきである。簡潔にするために、無線通信ネットワークは、場合によっては本発明の実施例においてネットワークと簡単に呼ばれる。
【００９３】
UEは、端末デバイスであり、移動端末デバイス又は不動の端末デバイスでもよい。デバイスは、サービスデータを受信又は送信するように主に構成される。ユーザ装置は、ネットワークに分布してもよい。ユーザ装置は、異なるネットワークにおいて異なる名前、例えば、端末、移動局、加入者ユニット、局、セルラ電話、パーソナルデジタルアシスタント、無線モデム、無線通信デバイス、ハンドヘルドデバイス、ラップトップコンピュータ、コードレス電話及び無線ローカルループ局を有する。ユーザ装置は、無線アクセスネットワーク（英文フルネーム：radio  access  network、英文略称：RAN）（無線通信ネットワークのアクセス部分）を使用することにより、１つ以上のコアネットワークと通信してもよく、例えば、無線アクセスネットワークと音声及び／又はデータを交換してもよい。
【００９４】
基地局とも呼ばれてもよい基地局デバイスは、無線通信機能を提供するために無線アクセスネットワークに配置された装置である。例えば、2Gネットワークにおいて基地局機能を提供するデバイスは、無線トランシーバ基地局（英文フルネーム：base  transceiver  station、英文略称：BTS）及び基地局コントローラ（英文フルネーム：base  station  controller、英文略称：BSC）を含み、3Gネットワークにおいて基地局機能を提供するデバイスは、ノードB（英文フルネーム：NodeB）及び無線ネットワークコントローラ（英文フルネーム：radio  network  controller、英文略称：RNC）を含み、4Gネットワークにおいて基地局機能を提供するデバイスは、進化型ノードB（英文フルネーム：evolved  NodeB、英文略称：eNB）を含み、WLANにおいて基地局機能を提供するデバイスは、アクセスポイント（英文フルネーム：access  point、英文略称：AP）を含む。
【００９５】
さらに、この出願は、無線ネットワークデバイスを参照して全ての態様を説明する。無線ネットワークデバイスは、基地局でもよく、基地局は、１つ以上のユーザ装置と通信するように構成されてもよく、或いはいくつかのユーザ装置機能を用いて１つ以上の基地局と通信するように構成されてもよい（例えば、マクロ基地局とマイクロ基地局との間、例えば、アクセスポイントの間の通信）。代替として、無線ネットワークデバイスは、ユーザ装置でもよく、ユーザ装置は、１つ以上のユーザ装置と通信するように構成されてもよく（例えば、デバイス対デバイス（英文フルネーム：device-to-device、英文略称：D2D）通信）、或いは１つ以上の基地局と通信するように構成されてもよい。ユーザ装置は、ユーザ端末とも呼ばれてもよく、システム、加入者ユニット、加入者局、移動局、移動無線端末、移動デバイス、ノード、デバイス、リモート局、リモート端末、端末、無線通信デバイス、無線通信装置又はユーザエージェントの一部又は全部の機能を含んでもよい。ユーザ装置は、セルラ電話、コードレス電話、セッションイニシエーションプロトコル（英文フルネーム：session  initiation  protocol、英文略称：SIP）電話、スマートフォン、無線ローカルループ（英文フルネーム：wireless  local  loop、英文略称：WLL）局、パーソナルデジタルアシスタント（英文フルネーム：personal  digital  assistant、英文略称：PDA）、ラップトップコンピュータ、ハンドヘルド通信デバイス、ハンドヘルドコンピューティングデバイス、衛星無線デバイス、無線モデムカード及び／又は無線システムにおいて通信するように構成された他の処理デバイスでもよい。基地局は、アクセスポイント、ノード、ノードB、進化型ノードB又は他のネットワークエンティティと呼ばれてもよく、前述のネットワークエンティティの一部又は全部の機能を含んでもよい。基地局は、エアインタフェースを使用することにより、無線端末と通信してもよい。通信は、１つ以上のセクタを使用することにより実行されてもよい。基地局は、受信したエアインタフェースフレームをIPパケットに変換し、無線端末とアクセスネットワークの残りの部分との間のルータとして機能してもよい。アクセスネットワークは、インターネットプロトコル（英文フルネーム：internet  protocol、英文略称：IP）ネットワークを含む。基地局は、エアインタフェース属性管理を更に連携してもよく、有線ネットワークと無線ネットワークの間のゲートウェイでもよい。
【００９６】
この出願において、全ての態様、実施例又は特徴は、複数のデバイス、コンポーネント、モジュール等を含んでもよいシステムについて説明することにより提示される。各システムは、他のデバイス、コンポーネント、モジュール等を含んでもよく、及び／又は添付図面を参照して説明する全てのデバイス、コンポーネント、モジュール等を除外してもよいことが認識及び理解されるべきである。さらに、これらの解決策の組み合わせが使用されてもよい。
【００９７】
さらに、本発明の実施例において「例」という用語は、例を挙げること、例示又は説明を表すために使用される。この出願において「例」として記載されるいずれかの実施例又は設計方式は、他の実施例又は設計方式より好ましいもの又は多くの利点を有するものとして説明されるべきではない。正確には、「例」は、具体的な方式における概念を提示するために使用される。
【００９８】
本発明の実施例では、情報（英文：information）、信号（英文：signal）、メッセージ（英文：message）及びチャネル（英文：channel）は、場合によっては互いに置換するために使用されてもよい。違いが強調されないときに、表現される意味は一致する点に留意すべきである。「の（英文：of）」、「関する（英文：corresponding,  relevant）」及び「対応する（英文：corresponding）」は、場合によっては互いに置換するために使用されてもよい。違いが強調されないときに、表現される意味は一致する点に留意すべきである。
【００９９】
本発明の実施例において記載されるネットワークアーキテクチャ及びサービスシナリオは、本発明の実施例における技術的解決策をより明確に説明することを意図するものであり、本発明の実施例において提供される技術的解決策への限定として解釈されない。当業者は、ネットワークアーキテクチャの進化及び新たなサービスシナリオの出現によって、本発明の実施例において提供される技術的解決策は類似の技術的課題にも適用可能であることを理解し得る。
【０１００】
本発明の実施例は、無線通信ネットワークにおける4Gネットワークのシナリオを使用することにより例示される。本発明の実施例における解決策は、他の無線通信ネットワークに更に適用されてもよく、対応する名前は、他の無線通信ネットワークにおける対応する機能名と置換されてもよい点に留意すべきである。
【０１０１】
図１に示すように、図１は、本発明の実施例に適用可能な上りリンクサウンディング信号トリガーシステムの概略アーキテクチャ図であり、上りリンクサウンディング信号トリガーシステムは、基地局と、基地局により管理されたセル内の複数のUEとを含む。基地局は、複数のUEのそれぞれと通信してもよい。
【０１０２】
図１に示す上りリンクサウンディング信号トリガーシステムに基づいて、本発明の実施例は、上りリンクサウンディング信号トリガー方法を提供する。基地局とUE1との間の相互作用が説明のための例として使用され、UE1は、基地局により管理されたセル内のいずれかのUEである。図２に示すように、方法はステップS201〜S203を含む。
【０１０３】
S201.基地局は、物理下りリンク制御チャネルを使用することにより１つのDCIを送信し、DCIは、基地局により管理されたセル内のa個のUEのそれぞれに対応するSRS制御情報を含み、aは2以上の正の整数である。
【０１０４】
S202.UE1は、基地局により送信されたDCIを受信する。
【０１０５】
S203.UE1は、DCIがUE1に対応するSRS制御情報を含むと検出した後に、UE1に対応するSRS制御情報に従ってSRSをトリガーする。
【０１０６】
本発明のこの実施例におけるステップS201において、詳細は以下の通りである。
【０１０７】
LTEシステムでは、物理下りリンク制御チャネルは、DCIをUEに伝送するために使用され、DCIは、メッセージとして考えられてもよく、制御情報、例えば、上りリンク/下りリンクスケジューリング情報、リソース割り当て、トランスポートフォーマット、非周期的チャネル品質インジケータ（英文フルネーム：channel  quality  indicator、英文略称：CQI）要求報告又は上りリンク電力制御のうち１つ以上を搬送するために使用される。これは、本発明のこの実施例では具体的に限定されない。
【０１０８】
基地局により管理されたセル内のa個のUEは、基地局によりランダムに選択されてもよく、或いは基地局により予め設定されたポリシーを使用することにより選択されてもよい。例えば、基地局は、基地局により管理されたセル内のN個のUEをM個のグループのUEに分類してもよく、基地局により管理されたセル内のa個のUEは、M個のグループのUEの中の１つのグループのUE内のUEであり、N及びMの双方は正の整数である。分類ルールは、以下の内容、すなわち、UEの異なるサービス、UEの地理的位置、UEの電力又はUEの異なるタイプを含むが、これらに限定されない。
【０１０９】
基地局により管理されたセル内のa個のUEを選択する方式は、本発明のこの実施例では具体的に限定されない。
【０１１０】
任意選択で、基地局により管理されたセル内のa個のUEの中の第iのUEに対応するSRS制御情報のビット数はkiであり、1≦i≦aであり、iは整数であり、kiは1以上の正の整数である。
【０１１１】
すなわち、本発明のこの実施例では、第iのUEに対応するSRS制御情報のビット数は1又は2に限定されなくてもよく、必要に応じて3、4又は5のように1以上のいずれかの正の整数に設定されてもよい。これは、本発明のこの実施例では具体的に限定されない。
【０１１２】
当業者は、kiビットが
【数２６】
2019503106.tif 000029
個の組み合わせ状態を表し得ることを容易に理解する。例えば、2ビットは、4個の組み合わせ状態、すなわち、「00」、「01」、「10」及び「11」に対応する組み合わせ状態を表し得る。本発明のこの実施例では、異なる適用シナリオについて、第iのUEに対応するSRS制御情報内のkiビットにより表される
【数２７】
2019503106.tif 000030
個の組み合わせ状態は、異なる指示方式に対応しており、例として提供されるいくつかの指示方式は以下の通りである。
【０１１３】
指示方式１：DCIは、非周期的SRSのみをトリガーするために使用され、a個のUEの中の第iのUEに対応するSRS制御情報内のkiビットにより表される
【数２８】
2019503106.tif 000031
個の組み合わせ状態の中のsi個の組み合わせ状態は、UEがSRSを非周期的に送信するときに必要なSRSパラメータのセット（最大でSRSパラメータのsi個のセットが存在するか、或いはSRSパラメータのsi個未満のセットが存在してもよく、例えば、組み合わせ状態は、割り当てが一時的に実行されないことを示す「保留」である）を示すために別々に使用され、
【数２９】
2019503106.tif 000032
個の組み合わせ状態の中のsi個の組み合わせ状態以外の組み合わせ状態のうち１つは、UEに対してSRSを送信しないように命令するために使用され、
【数３０】
2019503106.tif 000033
であり、siは整数である。代替として、1ビットは、UEに対してSRSを送信しないように命令するために単独で使用されてもよく、siの値もまた、相応に変化することが理解され得る。詳細は説明しない。
【０１１４】
指示方式２：DCIは、非周期的SRSをトリガーするために使用されてもよく、或いは周期的SRSをトリガーするために使用されてもよく、a個のUEの中の第iのUEに対応するSRS制御情報内のkiビットのうち１つは、UEに対してSRSを周期的又は非周期的に送信するように命令するために使用され、kiビットの中の他の(ki-1)ビットにより表される
【数３１】
2019503106.tif 000034
個の組み合わせ状態の中のsi個の組み合わせ状態は、UEがSRSを周期的又は非周期的に送信するときに必要なSRSパラメータのセット（最大でSRSパラメータのsi個のセットが存在するか、或いはSRSパラメータのsi個未満のセットが存在してもよく、例えば、組み合わせ状態は、割り当てが一時的に実行されないことを示す「保留」である）を示すために別々に使用され、
【数３２】
2019503106.tif 000035
個の組み合わせ状態の中のsi個の組み合わせ状態以外の組み合わせ状態のうち１つは、UEに対してSRSを送信しないように命令するために使用され、
【数３３】
2019503106.tif 000036
であり、siは整数であり、kiは1より大きい正の整数である。1ビットは、UEに対してSRSを送信しないように命令するために単独で使用されてもよく、siの値もまた、相応に変化することが理解され得る。詳細は説明しない。
【０１１５】
指示方式３：DCIは、周期的SRSのみをトリガーするために使用され、a個のUEの中の第iのUEに対応するSRS制御情報内のkiビットにより表される
【数３４】
2019503106.tif 000037
個の組み合わせ状態の中のsi個の組み合わせ状態は、UEがSRSを周期的に送信するときに必要なSRSパラメータのセットを示すために別々に使用され、
【数３５】
2019503106.tif 000038
個の組み合わせ状態の中のsi個の組み合わせ状態以外の組み合わせ状態のうち１つは、UEに対してSRSを送信しないように命令するために使用され、
【数３６】
2019503106.tif 000039
であり、siは整数である。1ビットは、UEに対してSRSを送信しないように命令するために単独で使用されてもよく、siの値もまた、相応に変化することが理解され得る。詳細は説明しない。
【０１１６】
明らかに、代替として、kiビットにより表される
【数３７】
2019503106.tif 000040
個の組み合わせ状態は、他の指示方式に対応していてもよく、前述の指示方式は、説明のための単なる例である。これは、本発明のこの実施例では具体的に限定されない。さらに、同じ指示方式が異なる表現形式を有してもよい。例えば、指示方式２において、他の指示方式が表現のために使用されてもよく、すなわち、
a個のUEの中の第iのUEに対応するSRS制御情報内のkiビットにより表される
【数３８】
2019503106.tif 000041
個の組み合わせ状態の中の
【数３９】
2019503106.tif 000042
個の組み合わせ状態は、UEに対してSRSを周期的に送信するように命令するために使用され、
【数４０】
2019503106.tif 000043
個の組み合わせ状態の中のsi個の組み合わせ状態は、UEがSRSを周期的に送信するときに必要な周期的SRSパラメータのsi個のセットを示すためにそれぞれ使用され、
【数４１】
2019503106.tif 000044
個の組み合わせ状態の中のsi個の組み合わせ状態以外の組み合わせ状態のうち１つは、UEに対してSRSを送信しないように命令するために使用され、
【数４２】
2019503106.tif 000045
であり、siは整数であり、kiは1より大きい正の整数であり、
【数４３】
2019503106.tif 000046
個の組み合わせ状態の中の
【数４４】
2019503106.tif 000047
個の組み合わせ状態以外の
【数４５】
2019503106.tif 000048
個の組み合わせ状態は、UEに対してSRSを非周期的に送信するように命令するために使用され、
【数４６】
2019503106.tif 000049
個の組み合わせ状態の中のti個の組み合わせ状態は、UEがSRSを非周期的に送信するときに必要な非周期的SRSパラメータのti個のセットを示すためにそれぞれ使用され、
【数４７】
2019503106.tif 000050
個の組み合わせ状態の中のti個の組み合わせ状態以外の組み合わせ状態のうち１つは、UEに対してSRSを送信しないように命令するために使用され、
【数４８】
2019503106.tif 000051
であり、tiは整数である。
【０１１７】
指示方式２の表現形式は、本発明のこの実施例では具体的に限定されない。
【０１１８】
指示方式２及び指示方式３から、本発明のこの実施例において提供される上りリンクサウンディング信号トリガー方法が周期的SRSをトリガーするために使用されるときに、周期的SRSを送信するのを停止するための機構が提供され、すなわち、１つの組み合わせ状態は、UEに対してSRSを送信しないように命令するために使用され、それにより、周期的SRSが柔軟に設定でき、リソース利用率が改善されることが習得できる点に留意すべきである。
【０１１９】
本発明のこの実施例におけるステップS203において、詳細は以下の通りである。
【０１２０】
UE1は、以下の方式で、UE1に対応しており且つDCIに含まれるSRS制御情報の位置を検出してもよい。
【０１２１】
方式１：UE1は、基地局により送信されたRRC1シグナリングを受信し、RRC1シグナリングは、DCI内のビット位置とa個のUEのそれぞれとの間の対応関係を搬送し、UE1は、対応関係に従って、UE1に対応するSRS制御情報を決定する。
【０１２２】
例えば、RRC1シグナリングに含まれる対応関係は、
(1)DCI内のUE1のSRS制御情報ビットの位置と、UE1の一意識別子との間の対応関係であり、位置は、開始位置と占有されるビットの長さとを含んでもよく、或いは開始位置と終了位置とを含んでもよく、具体的には限定されないこと、又は
(2)複数のUEと、DCI内の複数のUEのSRS制御情報ビットの位置との間の対応関係のリストが予め規定され、UE1は、RRC1シグナリングを使用することにより、対応関係のリスト内のUE1の番号を通知され、UE1は、DCI内のUE1のSRS制御情報ビットの位置を取得するために、リストを検索すること
でもよい。
【０１２３】
本発明のこの実施例におけるRRC1シグナリングは、具体的には、DCI内のビット位置とa個のUEのそれぞれとの間の対応関係を既存のRRCシグナリングに追加することにより取得されるRRCシグナリングでもよい点に留意すべきである。この場合、RRC1シグナリングは、基地局によりUE1に配信されるSRSパラメータを搬送してもよい。明らかに、代替として、RRC1シグナリングは、DCI内のビット位置とa個のUEのそれぞれとの間の対応関係を搬送するために使用される新たに規定されたシグナリングでもよい。この場合、RRC1シグナリングは、基地局によりUE1に配信されるSRSパラメータを搬送せず、単独で配信されるRRCシグナリングである。これは、本発明のこの実施例では具体的に限定されない。
【０１２４】
さらに、RRC1シグナリングは、本発明の実施例においてRRC2シグナリング、RRC3シグナリング及びRRC4シグナリングのようなRRCシグナリングと区別されるように規定される点に留意すべきである。当業者は、RRCに続く数字は、数量及び実行順序に対する限定を構成せず、特別な意味を有さないことを理解し得る。説明はここでは統一した方式で提供され、詳細は以下では再び説明しない。
【０１２５】
方式２：UE1は、DCI内のビット位置とUEとの間の予め設定された結び付き関係を取得し、UE1は、結び付き関係に従って、UE1に対応するSRS制御情報を決定する。
【０１２６】
例えば、UEの一意識別子（例えば、アイデンティティ（英文フルネーム：identity又はidentifier、英文略称：ID））及びDCI内のビット位置が結び付けられてもよい。例えば、DCIは、M個のUEに対応するSRS制御情報を含み、(ID  mod  M)は、UE1のビット位置であり、mod()はモジュロ演算を示すことが仮定される。
【０１２７】
本発明のこの実施例では、基地局により送信されるDCIの巡回冗長検査（英文フルネーム：cyclic  redundancy  check、英文略称：CRC）は、無線ネットワーク一時識別子（英文フルネーム：radio  network  temporary  identifier、英文略称：RNTI）を使用することによりスクランブル化されてもよい点に留意すべきである。したがって、UE1がDCIを受信した後に、UE1が前述の方式でUE1に対応しており且つDCIに含まれるSRS制御情報の位置を検出する前に、UE1は、まず、DCIをスクランブル解除する必要があり、UE1は、スクランブル解除が成功したときにのみ、DCIがUE1に対応するSRS制御情報を含むか否かを検出することにより認識してもよい。DCIをスクランブル化及びスクランブル解除する具体的なプロセスは、本発明のこの実施例では詳細に説明しない。詳細について、既存の実現解決策を参照する。
【０１２８】
任意選択で、従来技術との違いは、基地局が前述の分類方式で基地局により管理されたセル内のN個のUEを分類した後に、a個のUEが１つのグループのUE内のUEであるときに、基地局が、a個のUEのために同じRNTIを設定してもよい点にある。RNTIは、a個のUEが属するグループのグループRNTIと呼ばれてもよい。この場合、UE1がDCIを受信してDCIをスクランブル解除したときに、UE1は、グループRNTIを検出する。UE1は、UE1がa個のUEが属するグループ内のUEであるときにのみ、成功してスクランブル解除を実行できる。そうでなく、UE1がa個のUEが属するグループ内のUEでないときに、スクランブル解除は失敗する。
【０１２９】
具体的には、第iのUEに対応するSRS制御情報内のkiビットにより表される
【数４９】
2019503106.tif 000052
個の組み合わせ状態は、異なる指示方式に対応しているときに、UE1により、UE1に対応するSRS制御情報に従ってSRSをトリガーする具体的な実現方式も異なる。
【０１３０】
第iのUEに対応するSRS制御情報内のkiビットにより表される
【数５０】
2019503106.tif 000053
個の組み合わせ状態が指示方式１に対応しているときに、図３に示すように、UE1が、DCIがUE1に対応するSRS制御情報を含むと検出した後に、UE1に対応するSRS制御情報に従ってSRSをトリガーすること（ステップS203）は、ステップS203a1又はS203a2を具体的に含んでもよい。
【０１３１】
S203a1.UE1が、DCIがUE1に対応するSRS制御情報を含むと検出した後に、UE1に対応するSRS制御情報が、UE1がSRSを非周期的に送信するときに必要なSRSパラメータのセットを示すために使用される場合、UE1は、UE1がSRSを非周期的に送信するときに必要なSRSパラメータのセットに従って、SRSを基地局に送信する。
【０１３２】
S203a2.UE1が、DCIがUE1に対応するSRS制御情報を含むと検出した後に、UE1に対応するSRS制御情報がSRSを送信しないように命令するために使用される場合、UE1は、SRSを基地局に送信しないと決定する。
【０１３３】
第iのUEに対応するSRS制御情報内のkiビットにより表される
【数５１】
2019503106.tif 000054
個の組み合わせ状態が指示方式２に対応しているときに、図４Ａ及び図４Ｂに示すように、UE1が、DCIがUE1に対応するSRS制御情報を含むと検出した後に、UE1に対応するSRS制御情報に従ってSRSをトリガーすること（ステップS203）は、ステップS203b1〜S203b4のいずれか１つを具体的に含んでもよい。
【０１３４】
S203b1.UE1が、DCIがUE1に対応するSRS制御情報を含むと検出した後に、UE1に対応するSRS制御情報内の1ビットが、UE1に対してSRSを周期的に送信するように命令するために使用され、UE1に対応するSRS制御情報内の1ビット以外のビットが、UE1がSRSを周期的に送信するときに必要なSRSパラメータのセットを示すために使用される場合、UE1は、UE1がSRSを周期的に送信するときに必要なSRSパラメータのセットに従って、SRSを基地局に送信する。
【０１３５】
S203b2.UE1が、DCIがUE1に対応するSRS制御情報を含むと検出した後に、UE1に対応するSRS制御情報内の1ビットが、UE1に対してSRSを周期的に送信するように命令するために使用され、UE1に対応するSRS制御情報内の1ビット以外のビットが、UE1に対してSRSを送信しないように命令するために使用される場合、UE1は、SRSを基地局に送信しないと決定する。
【０１３６】
S203b3.UE1が、DCIがUE1に対応するSRS制御情報を含むと検出した後に、UE1に対応するSRS制御情報内の1ビットが、UE1に対してSRSを非周期的に送信するように命令するために使用され、UE1に対応するSRS制御情報内の1ビット以外のビットが、UE1がSRSを非周期的に送信するときに必要なSRSパラメータのセットを示すために使用される場合、UE1は、UE1がSRSを非周期的に送信するときに必要なSRSパラメータのセットに従って、SRSを基地局に送信する。
【０１３７】
S203b4.UE1が、DCIがUE1に対応するSRS制御情報を含むと検出した後に、UE1に対応するSRS制御情報内の1ビットが、UE1に対してSRSを非周期的に送信するように命令するために使用され、UE1に対応するSRS制御情報内の1ビット以外のビットが、UE1に対してSRSを送信しないように命令するために使用される場合、UE1は、SRSを基地局に送信しないと決定する。
【０１３８】
第iのUEに対応するSRS制御情報内のkiビットにより表される
【数５２】
2019503106.tif 000055
個の組み合わせ状態が指示方式３に対応しているときに、図５に示すように、UE1が、DCIがUE1に対応するSRS制御情報を含むと検出した後に、UE1に対応するSRS制御情報に従ってSRSをトリガーすること（ステップS203）は、ステップS203c1又はS203c2を具体的に含んでもよい。
【０１３９】
S203c1.UE1が、DCIがUE1に対応するSRS制御情報を含むと検出した後に、
UE1に対応するSRS制御情報が、UE1がSRSを周期的に送信するときに必要なSRSパラメータのセットを示すために使用される場合、UE1は、UE1がSRSを周期的に送信するときに必要なSRSパラメータのセットに従って、SRSを基地局に送信する。
【０１４０】
S203c2.UE1が、DCIがUE1に対応するSRS制御情報を含むと検出した後に、UE1に対応するSRS制御情報がSRSを送信しないように命令するために使用される場合、UE1は、SRSを基地局に送信しない。
【０１４１】
第iのUEに対応するSRS制御情報内のkiビットにより表される
【数５３】
2019503106.tif 000056
個の組み合わせ状態が指示方式２に対応しているときに、UE1に対応するSRS制御情報内の1ビットが、UE1に対してSRSを周期的に送信するように命令するために使用される場合、UE1が、UE1がSRSを周期的に送信するときに必要なSRSパラメータのセットに従って、SRSを基地局に送信する前に、或いはUE1が、SRSを基地局に送信しない前に、方法は、
UE1により、基地局により送信されたRRC2シグナリングを受信し、RRC2シグナリングは、第１のインジケータを含み、第１のインジケータは、周期的SRSがDCIを使用することによりトリガーされることを示すために使用されることを更に含んでもよい。
【０１４２】
さらに、UE1に対応するSRS制御情報内の1ビットが、UE1に対してSRSを周期的に送信するように命令するために使用される場合、UE1が、UE1がSRSを周期的に送信するときに必要なSRSパラメータのセットに従って、SRSを基地局に送信することは、
UE1に対応するSRS制御情報内の1ビットが、UE1に対してSRSを周期的に送信するように命令するために使用される場合、UE1により、第１のインジケータ及びUE1がSRSを周期的に送信するときに必要なSRSパラメータのセットに従って、SRSを基地局に送信することを具体的に含んでもよい。
【０１４３】
UE1に対応するSRS制御情報内の1ビットが、UE1に対してSRSを周期的に送信するように命令するために使用される場合、UE1が、SRSを基地局に送信しないことは、
UE1に対応するSRS制御情報内の1ビットが、UE1に対してSRSを周期的に送信するように命令するために使用される場合、UE1により、第１のインジケータに従って、SRSを基地局に送信しないことを具体的に含んでもよい。
【０１４４】
同様に、第iのUEに対応するSRS制御情報内のkiビットにより表される
【数５４】
2019503106.tif 000057
個の組み合わせ状態が指示方式３に対応しているときに、UE1が、UE1がSRSを周期的に送信するときに必要なSRSパラメータのセットに従って、SRSを基地局に送信する前に、或いはUE1が、SRSを基地局に送信しない前に、方法は、
UE1により、基地局により送信されたRRC2シグナリングを受信し、RRC2シグナリングは、第１のインジケータを含み、第１のインジケータは、周期的SRSがDCIを使用することによりトリガーされることを示すために使用されることを更に含んでもよい。
【０１４５】
さらに、UE1が、UE1がSRSを周期的に送信するときに必要なSRSパラメータのセットに従って、SRSを基地局に送信することは、
UE1により、第１のインジケータ及びUE1がSRSを周期的に送信するときに必要なSRSパラメータのセットに従って、SRSを基地局に送信することを具体的に含んでもよい。
【０１４６】
UE1が、SRSを基地局に送信しないことは、
UE1により、第１のインジケータに従って、SRSを基地局に送信しないことを具体的に含んでもよい。
【０１４７】
すなわち、従来技術における周期的SRSトリガー機構との違いは、本発明のこの実施例では、周期的SRSがDCIを使用することによりトリガーされる点にある。DCIに基づく設定は、動的な設定であり、SRSは再設定できるか、或いは設定は適時に停止できる。したがって、柔軟な設定要件が満たされることができる。
【０１４８】
本発明のこの実施例におけるRRC2シグナリングは、具体的には、第１のインジケータを既存のRRCシグナリングに追加することにより取得されるRRCシグナリングでもよい点に留意すべきである。この場合、RRC2シグナリングは、基地局によりUE1に配信されるSRSパラメータを搬送してもよい。明らかに、代替として、RRC2シグナリングは、新たに規定されたシグナリングでもよく、第１のインジケータを搬送するために使用される。この場合、RRC2シグナリングは、基地局によりUE1に配信されるSRSパラメータを搬送せず、単独で配信されるRRCシグナリングである。これは、本発明のこの実施例では具体的に限定されない。
【０１４９】
任意選択で、図３に示す実施例に基づいて、本発明のこの実施例において提供される上りリンクサウンディング信号トリガー方法が非周期的SRSをトリガーするために使用されるときに、図６に示すように、方法はステップS204及びS205を更に含んでもよい。
【０１５０】
S204.基地局は、RRC3シグナリングをUE1に送信し、RRC3シグナリングは、指示情報を搬送し、指示情報は、UEに対して非周期的SRSが１回トリガーされる間にSRSをM回送信するように命令するために使用され、Mは1以上の正の整数である。
【０１５１】
S205.UE1は、基地局により送信されたRRC3シグナリングを受信する。
【０１５２】
任意選択で、UE1が、DCIがUE1に対応するSRS制御情報を含むと検出した後に、UE1に対応するSRS制御情報が、UE1がSRSを非周期的に送信するときに必要なSRSパラメータのセットを示すために使用される場合、UE1が、UE1がSRSを非周期的に送信するときに必要なSRSパラメータのセットに従って、SRSを基地局に送信すること（ステップS203a1）は、
【０１５３】
S203a11.UE1が、DCIがUE1に対応するSRS制御情報を含むと検出した後に、UE1に対応するSRS制御情報が、UE1がSRSを非周期的に送信するときに必要なSRSパラメータのセットを示すために使用される場合、UE1が、指示情報を参照して、UE1がSRSを非周期的に送信するときに必要なSRSパラメータのセットに従って、SRSを基地局にM回送信することを具体的に含んでもよい。
【０１５４】
代替として、図４Ａ及び図４Ｂに示す実施例に基づいて、本発明のこの実施例において提供される上りリンクサウンディング信号トリガー方法が非周期的SRSをトリガーするために使用されるときに、図７Ａ及び図７Ｂに示すように、方法はステップS204及びS205を更に含んでもよい。
【０１５５】
S204.基地局は、RRC3シグナリングをUE1に送信し、RRC3シグナリングは、指示情報を搬送し、指示情報は、UEに対して非周期的SRSが１回トリガーされる間にSRSをM回送信するように命令するために使用され、Mは1以上の正の整数である。
【０１５６】
S205.UE1は、基地局により送信されたRRC3シグナリングを受信する。
【０１５７】
任意選択で、UE1が、DCIがUE1に対応するSRS制御情報を含むと検出した後に、UE1に対応するSRS制御情報内の1ビットが、UE1に対してSRSを非周期的に送信するように命令するために使用され、UE1に対応するSRS制御情報内の1ビット以外のビットが、UE1がSRSを非周期的に送信するときに必要なSRSパラメータのセットを示すために使用される場合、UE1が、UE1がSRSを非周期的に送信するときに必要なSRSパラメータのセットに従って、SRSを基地局に送信すること（ステップS203b3）は、
【０１５８】
S203b31.UE1が、DCIがUE1に対応するSRS制御情報を含むと検出した後に、UE1に対応するSRS制御情報内の1ビットが、UE1に対してSRSを非周期的に送信するように命令するために使用され、UE1に対応するSRS制御情報内の1ビット以外のビットが、UE1がSRSを非周期的に送信するときに必要なSRSパラメータのセットを示すために使用される場合、UE1が、指示情報を参照して、UE1がSRSを非周期的に送信するときに必要なSRSパラメータのセットに従って、SRSを基地局にM回送信することを具体的に含んでもよい。
【０１５９】
すなわち、本発明のこの実施例において提供される上りリンクサウンディング信号トリガー方法が非周期的SRSをトリガーするために使用されるときに、SRSは、DCIを使用することによりM回トリガーされてもよい。これは、非周期的SRSがトリガーされるときに、１つのDCIが１つのみのUEに対してSRSを１回送信するようにトリガーするために使用できる従来の方式に比べて、DCIシグナリングを低減してシグナリングオーバーヘッドを低減できる。
【０１６０】
本発明のこの実施例におけるRRC3シグナリングは、具体的には、指示情報を既存のRRCシグナリングに追加することにより取得されるRRCシグナリングでもよい点に留意すべきである。この場合、RRC3シグナリングは、基地局によりUE1に配信されるSRSパラメータを搬送してもよい。明らかに、代替として、RRC3シグナリングは、新たに規定されたシグナリングでもよく、指示情報を搬送するために使用される。この場合、RRC3シグナリングは、基地局によりUE1に配信されるSRSパラメータを搬送せず、単独で配信されるRRCシグナリングである。これは、本発明のこの実施例では具体的に限定されない。
【０１６１】
本発明のこの実施例におけるステップS204及びステップS201は、必然的な順序で実行されない点に留意すべきである。ステップS204は、ステップS201の前に実行されてもよく、ステップS201は、ステップS204の前に実行されてもよく、或いはステップS204及びステップS201は、同時に実行されてもよい。これは、本発明のこの実施例では具体的に限定されない。
【０１６２】
本発明のこの実施例において提供される上りリンクサウンディング信号トリガー方法に基づいて、本発明のこの実施例では、基地局により物理下りリンク制御チャネルを使用することにより送信されるDCIは、基地局により管理されたセル内のa個のUEのそれぞれに対応するSRS制御情報を含むため、UE1が基地局により送信されたDCIを受信し、DCIがUE1に対応するSRS制御情報を含むと検出した後に、UE1は、UE1に対応するSRS制御情報に従ってSRSをトリガーでき、aは2以上の正の整数である。すなわち、本発明のこの実施例におけるDCIは、複数のUEに対してSRSを１回送信するようにトリガーするために使用できる。したがって、SRSが無線通信システムにおいて短時間に複数のUEについて急速に設定される必要があるときに、物理レイヤPDCCH/EPDCCHのシグナリングオーバーヘッドが低減できる。従来技術における周期的SRSトリガー機構との違いは、本発明のこの実施例では、周期的SRS又は非周期的SRSに拘わらず、SRSがDCIを使用することによりトリガーされる点にある。DCIに基づく設定は、動的な設定であり、SRSは再設定できるか、或いは設定は適時に停止できる。したがって、柔軟な設定要件が満たされることができる。
【０１６３】
図１に示す上りリンクサウンディング信号トリガーシステムに基づいて、本発明の実施例は、上りリンクサウンディング信号トリガー方法を提供する。基地局とUE1との間の相互作用が説明のための例として使用され、UE1は、基地局により管理されたセル内のいずれかのUEである。図８に示すように、方法はステップS801〜S805を含む。
【０１６４】
S801.基地局は、RRC4シグナリングを送信し、RRC4シグナリングは、第１のインジケータを含み、第１のインジケータは、周期的SRSがDCIを使用することによりトリガーされることを示すために使用される。
【０１６５】
S802.UE1は、基地局により送信されたRRC4シグナリングを受信する。
【０１６６】
S803.基地局は、物理下りリンク制御チャネルを使用することにより１つのDCIを送信し、DCIは、基地局により管理されたセル内の第iのUEに対応するSRS制御情報を含む。
【０１６７】
1≦i≦Nであり、Nは基地局により管理されたセル内のUEの総数であり、i及びNの双方は正の整数である。
【０１６８】
S804.UE1は、基地局により送信されたDCIを受信する。
【０１６９】
S805.UE1は、DCIがUE1に対応するSRS制御情報を含むと検出した後に、第１のインジケータ及びUE1に対応するSRS制御情報に従ってSRSをトリガーする。
【０１７０】
本発明のこの実施例におけるステップS801において、詳細は以下の通りである。
【０１７１】
本発明のこの実施例におけるRRC4シグナリングは、具体的には、第１のインジケータを既存のRRCシグナリングに追加することにより取得されるRRCシグナリングでもよい点に留意すべきである。この場合、RRC4シグナリングは、基地局によりUE1に配信されるSRSパラメータを搬送してもよい。明らかに、代替として、RRC4シグナリングは、新たに規定されたシグナリングでもよく、第１のインジケータを搬送するために使用される。この場合、RRC4シグナリングは、基地局によりUE1に配信されるSRSパラメータを搬送せず、単独で配信されるRRCシグナリングである。これは、本発明のこの実施例では具体的に限定されない。
【０１７２】
本発明のこの実施例におけるステップS803〜S805において、詳細は以下の通りである。
【０１７３】
DCIが非周期的SRS又は周期的SRSをトリガーするために使用されてもよいシナリオにおいてUE1がDCIを受信したときに、UE1が非周期的SRSをトリガーするか周期的SRSをトリガーするかを決定するために、本発明のこの実施例は、２つの実現方式を提供する。
【０１７４】
第１の可能な実現方式では、指示は、UEに対応するSRS制御情報内の1ビットを使用することにより実行されてもよい。
【０１７５】
具体的には、第iのUEに対応するSRS制御情報のビット数はkiであることが仮定される。kiビットにより表される
【数５５】
2019503106.tif 000058
個の組み合わせ状態の具体的な指示方式について、図２に示す実施例における指示方式２を参照する。本発明のこの実施例において詳細はここでは再び説明しない。
【０１７６】
第iのUEに対応するSRS制御情報内のkiビットにより表される
【数５６】
2019503106.tif 000059
個の組み合わせ状態が指示方式２に対応しているときに、UE1が、DCIがUE1に対応するSRS制御情報を含むと検出した後に、第１のインジケータ及びUE1に対応するSRS制御情報に従ってSRSをトリガーするステップS805の具体的な実現方式について、図４Ａ及び図４Ｂに示す実施例を参照する。本発明のこの実施例において詳細はここでは再び説明しない。
【０１７７】
第２の可能な実現方式では、２つのRNTIがUEのために構成されてもよく、一方のRNTIは周期的SRSに対応しており、他方は非周期的SRSに対応している。基地局が周期的SRSをトリガーするときに、UEは、周期的SRSに対応するRNTIを使用し、基地局が非周期的SRSをトリガーするときに、UEは、非周期的SRSに対応するRNTIを使用する。
【０１７８】
具体的には、DCIのCRCは、第１のRNTI又は第２のRNTIを使用することによりスクランブル化され、第１のRNTIは、基地局により管理されたセル内の第iのUEによりSRSを周期的に送信することに対応するRNTIであり、第２のRNTIは、基地局により管理されたセル内の第iのUEによりSRSを非周期的に送信することに対応するRNTIである。
【０１７９】
さらに、UE1が、DCIがUE1に対応するSRS制御情報を含むと検出した後に、第１のインジケータ及びUE1に対応するSRS制御情報に従ってSRSをトリガーすること（ステップS801）は、
UE1が、第１のRNTIを使用することにより、DCIがUE1に対応するSRS制御情報を含むと検出し、UE1に対応するSRS制御情報が、UE1がSRSを周期的に送信するときに必要なSRSパラメータのセットを示すために使用される場合、UE1により、第１のインジケータ及びUE1がSRSを周期的に送信するときに必要なSRSパラメータのセットに従って、SRSを基地局に送信すること、又は
UE1が、第１のRNTIを使用することにより、DCIがUE1に対応するSRS制御情報を含むと検出し、UE1に対応するSRS制御情報がUE1に対してSRSを送信しないように命令するために使用される場合、UE1により、第１のインジケータに従って、SRSを基地局に送信しないこと、又は
UE1が、第２のRNTIを使用することにより、DCIがUE1に対応するSRS制御情報を含むと検出し、UE1に対応するSRS制御情報が、UE1がSRSを非周期的に送信するときに必要なSRSパラメータのセットを示すために使用される場合、UE1により、第１のインジケータ及びUE1がSRSを非周期的に送信するときに必要なSRSパラメータのセットに従って、SRSを基地局に送信すること、又は
UE1が、第２のRNTIを使用することにより、DCIがUE1に対応するSRS制御情報を含むと検出し、UE1に対応するSRS制御情報がUE1に対してSRSを送信しないように命令するために使用される場合、UE1により、第１のインジケータに従って、SRSを基地局に送信しないこと
を具体的に含んでもよい。
【０１８０】
前述の実施例は、DCIが非周期的SRS又は周期的SRSをトリガーするために使用されてもよい例を記載している点に留意すべきである。明らかに、代替として、DCIは、周期的SRSのみをトリガーするために使用されてもよい。これは、本発明のこの実施例では具体的に限定されない。
【０１８１】
DCIが周期的SRSのみをトリガーするために使用されるときに、第iのUEに対応するSRS制御情報内のkiビットにより表される
【数５７】
2019503106.tif 000060
個の組み合わせ状態の具体的な指示方式について、図２に示す実施例における指示方式３を参照する。これは、本発明のこの実施例では具体的に限定されない。
【０１８２】
好ましくは、基地局は、UEのために新たな伝送モード（これはタイプ2として記されてもよい）のSRSパラメータを設定してもよく、SRSパラメータは、周期的SRSパラメータであり、既存のプロトコルにおけるDCIフォーマット0/4/1A及びDCIフォーマット2B/2C/2Dを使用することによりトリガーされてもよい。
【０１８３】
より高いレイヤのRRCシグナリングが、UE毎にタイプ2のRRCパラメータのセットを設定するために使用され、DCI  formats  0/1A/2B/2C/2D内の1ビットがSRSのセットをトリガーするために使用されるときに、「1」は、周期的SRSを送信するためにタイプ2モードをトリガーすることを示し、「0」は周期的SRSを送信しないことを示すか、或いは「0」は、周期的SRSを送信するためにタイプ2モードをトリガーすることを示し、「1」は周期的SRSを送信しないことを示す。これは、本発明のこの実施例では具体的に限定されない。
【０１８４】
DCIフォーマット4内の2ビットがUE毎にタイプ2のSRSパラメータの設定をトリガーするために使用されるときに、表１に示すように、保留状態「00」は、周期的SRSを送信しないことを示し、他の状態は、周期的SRSがトリガーされたときに必要なSRSパラメータのセットを示す。
【０１８５】
前述のシナリオは、本発明のこの実施例では具体的に限定されない。
【０１８６】
UEのために新たな伝送モード、すなわち、タイプ2のSRSパラメータを設定する方式はまた、周期的SRSがトリガーされる実施例にも適用可能である点に留意すべきである。本発明のこの実施例において詳細はここでは説明しない。
【０１８７】
従来技術における周期的SRSトリガー機構との違いは、本発明のこの実施例では、基地局がRRC4シグナリングを送信し、RRC4シグナリングが第１のインジケータを含み、第１のインジケータが、SRSがDCIを使用することによりトリガーされることを示すために使用される点にある。このように、UE1が基地局により送信され且つ基地局により管理されたセル内の第iのUEに対応するSRS制御情報を含むDCIを受信し、DCIがUE1に対応するSRS制御情報を含むと検出した後に、UE1は、第１のインジケータ及びUE1に対応するSRS制御情報に従ってSRSをトリガーできる。DCIに基づく設定は、動的な設定であり、SRSは再設定できるか、或いは設定は適時に停止できる。したがって、柔軟な設定要件が満たされることができる。
【０１８８】
図９に示すように、本発明の実施例は装置を提供し、装置は基地局90でもよく、基地局90は、図２〜図７Ａ及び図７Ｂに示す方法において基地局により実行されるステップを実行するように構成される。基地局90は、対応するステップに対応するモジュールを含んでもよい。例えば、基地局90は、
物理下りリンク制御チャネルを使用することにより１つのDCIを送信するように構成された送信ユニット901であり、DCIは、基地局90により管理されたセル内のa個のUEのそれぞれに対応するSRS制御情報を含み、aは2以上の正の整数である送信ユニット901を含んでもよい。
【０１８９】
任意選択で、a個のUEの中の第iのUEに対応するSRS制御情報のビット数はkiであり、1≦i≦aであり、iは整数であり、kiは1以上の正の整数である。
【０１９０】
本発明のこの実施例では、異なる適用シナリオについて、第iのUEに対応するSRS制御情報内のkiビットにより表される
【数５８】
2019503106.tif 000061
個の組み合わせ状態は、異なる指示方式に対応している。詳細について、前述の方法の実施例における指示方式１、指示方式２又は指示方式３を参照する。本発明のこの実施例において詳細はここでは再び説明しない。
【０１９１】
任意選択で、送信ユニット901は、第１のRRCシグナリングをUEに送信するように更に構成され、第１のRRCシグナリングは、第１のインジケータを含み、第１のインジケータは、周期的SRSがDCIを使用することによりトリガーされることを示すために使用される。
【０１９２】
任意選択で、送信ユニット901は、第２のRRCシグナリングをUEに送信するように更に構成され、第２のRRCシグナリングは、DCI内のビット位置とa個のUEのそれぞれとの間の対応関係を搬送する。
【０１９３】
任意選択で、送信ユニット901は、第３のRRCシグナリングをUEに送信するように更に構成され、第３のRRCシグナリングは、指示情報を搬送し、指示情報は、UEに対して非周期的SRSが１回トリガーされる間にSRSをM回送信するように命令するために使用され、Mは1以上の正の整数である。
【０１９４】
本発明のこの実施例における基地局90は、図２〜図７Ａ及び図７Ｂのいずれか１つの実施例における上りリンクチャネルサウンディング方法における基地局に対応していてもよく、本発明のこの実施例における基地局90のモジュールの分割及び／又は機能等は、図２〜図７Ａ及び図７Ｂのいずれか１つに示す方法の手順を実現することを意図するものであることが理解され得る。簡潔にするために、詳細はここでは再び説明しない。
【０１９５】
本発明のこの実施例における基地局90は、前述の方法の手順を実行するように構成されてもよい。したがって、基地局90により達成できる技術的効果について、前述の方法の実施例を参照する。本発明のこの実施例において詳細はここでは再び説明しない。
【０１９６】
図１０に示すように、本発明の実施例は装置を提供し、装置はUE100でもよく、UE100は、図２〜図７Ａ及び図７Ｂに示す方法においてUEにより実行されるステップを実行するように構成される。UE100は、対応するステップに対応するモジュールを含んでもよい。例えば、UE100は、
基地局により送信された１つのDCIを受信するように構成された受信ユニット1001であり、DCIは、基地局により管理されたセル内のa個のユーザ装置UEのそれぞれに対応するSRS制御情報を含み、aは2以上の正の整数である受信ユニット1001と、
DCIがUE100に対応するSRS制御情報を含むと検出された後に、UE100に対応するSRS制御情報に従ってSRSをトリガーするように構成された処理ユニット1002と
を含んでもよい。
【０１９７】
任意選択で、a個のUEの中の第iのUEに対応するSRS制御情報のビット数はkiであり、1≦i≦aであり、iは整数であり、kiは1以上の正の整数である。
【０１９８】
本発明のこの実施例では、異なる適用シナリオについて、第iのUEに対応するSRS制御情報内のkiビットにより表される
【数５９】
2019503106.tif 000062
個の組み合わせ状態は、異なる指示方式に対応している。詳細について、前述の方法の実施例における指示方式１、指示方式２又は指示方式３を参照する。本発明のこの実施例において詳細はここでは再び説明しない。
【０１９９】
任意選択で、図１１に示すように、UE100は、送信ユニット1003を更に含む。
【０２００】
指示方式１では、処理ユニット1002は、
UE100に対応するSRS制御情報が、UE100がSRSを非周期的に送信するときに必要なSRSパラメータのセットを示すために使用される場合、送信ユニット1003を使用することにより、UE100がSRSを非周期的に送信するときに必要なSRSパラメータのセットに従って、SRSを基地局に送信するか、或いは
UE100に対応するSRS制御情報が、SRSを送信しないように命令するために使用される場合、SRSを基地局に送信しないように具体的に構成される。
【０２０１】
代替として、指示方式２では、処理ユニット1002は、
UE100に対応するSRS制御情報内の1ビットが、UE100に対してSRSを周期的に送信するように命令するために使用され、UE100に対応するSRS制御情報内の1ビット以外のビットが、UE100がSRSを周期的に送信するときに必要なSRSパラメータのセットを示すために使用される場合、送信ユニット1003を使用することにより、UE100がSRSを周期的に送信するときに必要なSRSパラメータのセットに従って、SRSを基地局に送信するか、或いは
UE100に対応するSRS制御情報内の1ビットが、UE100に対してSRSを周期的に送信するように命令するために使用され、UE100に対応するSRS制御情報内の1ビット以外のビットが、UE100に対してSRSを送信しないように命令するために使用される場合、SRSを基地局に送信しないか、或いは
UE100に対応するSRS制御情報内の1ビットが、UE100に対してSRSを非周期的に送信するように命令するために使用され、UE100に対応するSRS制御情報内の1ビット以外のビットが、UE100がSRSを非周期的に送信するときに必要なSRSパラメータのセットを示すために使用される場合、送信ユニット1003を使用することにより、UE100がSRSを非周期的に送信するときに必要なSRSパラメータのセットに従って、SRSを基地局に送信するか、或いは
UE100に対応するSRS制御情報内の1ビットが、UE100に対してSRSを非周期的に送信するように命令するために使用され、UE100に対応するSRS制御情報内の1ビット以外のビットが、UE100に対してSRSを送信しないように命令するために使用される場合、SRSを基地局に送信しないように具体的に構成される。
【０２０２】
代替として、指示方式３では、処理ユニット1002は、
UE100に対応するSRS制御情報が、UE100がSRSを周期的に送信するときに必要なSRSパラメータのセットを示すために使用される場合、送信ユニット1003を使用することにより、UE100がSRSを周期的に送信するときに必要なSRSパラメータのセットに従って、SRSを基地局に送信するか、或いは
UE100に対応するSRS制御情報が、SRSを送信しないように命令するために使用される場合、SRSを基地局に送信しないように具体的に構成される。
【０２０３】
任意選択で、指示方式２では、受信ユニット1001は、UE100に対応するSRS制御情報内の1ビットが、UE100に対してSRSを周期的に送信するように命令するために使用される場合、処理ユニット1002が、送信ユニット1003を使用することにより、UE100がSRSを周期的に送信するときに必要なSRSパラメータのセットに従って、SRSを基地局に送信する前に、或いは処理ユニット1002がSRSを基地局に送信しない前に、基地局により送信された第２のRRCシグナリングを受信するように更に構成され、第２のRRCシグナリングは、第１のインジケータを含み、第１のインジケータは、周期的SRSがDCIを使用することによりトリガーされることを示すために使用される。
【０２０４】
さらに、処理ユニット1002は、
UE100に対応するSRS制御情報内の1ビットが、UE100に対してSRSを周期的に送信するように命令するために使用される場合、送信ユニット1003を使用することにより、第１のインジケータ及びUE100がSRSを周期的に送信するときに必要なSRSパラメータのセットに従って、SRSを基地局に送信するか、或いは第１のインジケータに従って、SRSを基地局に送信しないように具体的に構成される。
【０２０５】
任意選択で、受信ユニット1001は、基地局により送信された第１のRRCシグナリングを受信するように更に構成され、第１のRRCシグナリングは、DCI内のビット位置とa個のUEのそれぞれとの間の対応関係を搬送し、
処理ユニット1002は、対応関係に従って、UE100に対応するSRS制御情報を決定するように更に構成される。
【０２０６】
任意選択で、受信ユニット1001は、基地局により送信された第３のRRCシグナリングを受信するように更に構成され、第３のRRCシグナリングは、指示情報を搬送し、指示情報は、UEに対して非周期的SRSが１回トリガーされる間にSRSをM回送信するように命令するために使用され、Mは1以上の正の整数である。
【０２０７】
さらに、処理ユニット1002は、
送信ユニット1003を使用することにより、指示情報を参照して、UE100がSRSを非周期的に送信するときに必要なSRSパラメータのセットに従って、SRSを基地局にM回送信するように具体的に構成される。
【０２０８】
本発明のこの実施例におけるUE100は、図２〜図７Ａ及び図７Ｂのいずれか１つの実施例における上りリンクチャネルサウンディング方法におけるUEに対応していてもよく、本発明のこの実施例におけるUE100のモジュールの分割及び／又は機能等は、図２〜図７Ａ及び図７Ｂのいずれか１つに示す方法の手順を実現することを意図するものであることが理解され得る。簡潔にするために、詳細はここでは再び説明しない。
【０２０９】
本発明のこの実施例におけるUE100は、前述の方法の手順を実行するように構成されてもよい。したがって、UE100により達成できる技術的効果について、前述の方法の実施例を参照する。本発明のこの実施例において詳細はここでは再び説明しない。
【０２１０】
任意選択で、図１０又は図１１に示すUE100は、図８に示す方法におけるUEにより実行されるステップを実行するように更に構成されてもよい。この場合、
受信ユニット1001は、基地局により送信されたRRCシグナリングを受信するように構成され、RRCシグナリングは、第１のインジケータを含み、第１のインジケータは、周期的SRSが下りリンク制御情報DCIを使用することによりトリガーされることを示すために使用され、
受信ユニット1001は、基地局により送信された１つのDCIを受信するように更に構成され、DCIは、基地局により管理されたセル内の第iのUEに対応するSRS制御情報を含み、1≦i≦Nであり、Nは基地局により管理されたセル内のUE100の総数であり、i及びNの双方は正の整数であり、
処理ユニット1002は、DCIがUE100に対応するSRS制御情報を含むと検出された後に、第１のインジケータ及びUE100に対応するSRS制御情報に従ってSRSをトリガーするように構成される。
【０２１１】
任意選択で、第iのUEに対応するSRS制御情報内のkiビットにより表される
【数６０】
2019503106.tif 000063
個の組み合わせ状態は、前述の方法の実施例における指示方式２において示されてもよい。本発明のこの実施例において詳細はここでは再び説明しない。
【０２１２】
さらに、処理ユニット1002は、
UE100に対応するSRS制御情報内の1ビットが、UE100に対してSRSを周期的に送信するように命令するために使用され、UE100に対応するSRS制御情報内の1ビット以外のビットが、UE100がSRSを周期的に送信するときに必要なSRSパラメータのセットを示すために使用される場合、送信ユニット1003を使用することにより、第１のインジケータ及びUE100がSRSを周期的に送信するときに必要なSRSパラメータのセットに従って、SRSを基地局に送信するか、或いは
UE100に対応するSRS制御情報内の1ビットが、UE100に対してSRSを周期的に送信するように命令するために使用され、UE100に対応するSRS制御情報内の1ビット以外のビットが、UE100に対してSRSを送信しないように命令するために使用される場合、第１のインジケータに従って、SRSを基地局に送信しないか、或いは
UE100に対応するSRS制御情報内の1ビットが、UE100に対してSRSを非周期的に送信するように命令するために使用され、UE100に対応するSRS制御情報内の1ビット以外のビットが、UE100がSRSを非周期的に送信するときに必要なSRSパラメータのセットを示すために使用される場合、送信ユニット1003を使用することにより、UE100がSRSを非周期的に送信するときに必要なSRSパラメータのセットに従って、SRSを基地局に送信するか、或いは
UE100に対応するSRS制御情報内の1ビットが、UE100に対してSRSを非周期的に送信するように命令するために使用され、UE100に対応するSRS制御情報内の1ビット以外のビットが、UE100に対してSRSを送信しないように命令するために使用される場合、SRSを基地局に送信しないように具体的に構成される。
【０２１３】
任意選択で、DCIのCRCは、第１のRNTI又は第２のRNTIを使用することによりスクランブル化され、第１のRNTIは、基地局により管理されたセル内の第iのUEによりSRSを周期的に送信することに対応するRNTIであり、第２のRNTIは、基地局により管理されたセル内の第iのUEによりSRSを非周期的に送信することに対応するRNTIである。
【０２１４】
さらに、処理ユニット1002は、
UE100が、第１のRNTIを使用することにより、DCIがUE100に対応するSRS制御情報を含むと検出し、UE100に対応するSRS制御情報が、UE100がSRSを周期的に送信するときに必要なSRSパラメータのセットを示すために使用される場合、送信ユニット1003を使用することにより、第１のインジケータ及びUE100がSRSを周期的に送信するときに必要なSRSパラメータのセットに従って、SRSを基地局に送信するか、或いは
UE100が、第１のRNTIを使用することにより、DCIがUE100に対応するSRS制御情報を含むと検出し、UE100に対応するSRS制御情報がUE100に対してSRSを送信しないように命令するために使用される場合、第１のインジケータに従って、SRSを基地局に送信しないか、或いは
UE100が、第２のRNTIを使用することにより、DCIがUE100に対応するSRS制御情報を含むと検出し、UE100に対応するSRS制御情報が、UE100がSRSを非周期的に送信するときに必要なSRSパラメータのセットを示すために使用される場合、送信ユニット1003を使用することにより、第１のインジケータ及びUE100がSRSを非周期的に送信するときに必要なSRSパラメータのセットに従って、SRSを基地局に送信するか、或いは
UE100が、第２のRNTIを使用することにより、DCIがUE100に対応するSRS制御情報を含むと検出し、UE100に対応するSRS制御情報がUE100に対してSRSを送信しないように命令するために使用される場合、第１のインジケータに従って、SRSを基地局に送信しないように具体的に構成される。
【０２１５】
本発明のこの実施例におけるUE100は、図８の実施例における上りリンクチャネルサウンディング方法におけるUEに対応していてもよく、本発明のこの実施例におけるUE100のモジュールの分割及び／又は機能等は、図８に示す方法の手順を実現することを意図するものであることが理解され得る。簡潔にするために、詳細はここでは再び説明しない。
【０２１６】
本発明のこの実施例におけるUE100は、前述の方法の手順を実行するように構成されてもよい。したがって、UE100により達成できる技術的効果について、前述の方法の実施例を参照する。本発明のこの実施例において詳細はここでは再び説明しない。
【０２１７】
任意選択で、図９に示す基地局90は、図８に示す方法における基地局90により実行されるステップを実行するように更に構成されてもよい。この場合、
送信ユニット901は、RRCシグナリングを送信するように構成され、RRCシグナリングは、第１のインジケータを含み、第１のインジケータは、SRSがDCIを使用することによりトリガーされることを示すために使用され、
送信ユニット901は、物理下りリンク制御チャネルを使用することにより１つのDCIを送信するように更に構成され、DCIは、基地局90により管理されたセル内の第iのUEに対応するSRS制御情報を含み、1≦i≦Nであり、Nは基地局90により管理されたセル内のUEの総数であり、i及びNの双方は正の整数である。
【０２１８】
任意選択で、第iのUEに対応するSRS制御情報内のkiビットにより表される
【数６１】
2019503106.tif 000064
個の組み合わせ状態は、前述の方法の実施例における指示方式２において示されてもよい。本発明のこの実施例において詳細はここでは再び説明しない。
【０２１９】
任意選択で、DCIのCRCは、第１のRNTI又は第２のRNTIを使用することによりスクランブル化され、第１のRNTIは、基地局90により管理されたセル内の第iのUEによりSRSを周期的に送信することに対応するRNTIであり、第２のRNTIは、基地局90により管理されたセル内の第iのUEによりSRSを非周期的に送信することに対応するRNTIである。
【０２２０】
本発明のこの実施例における基地局90は、図８の実施例における上りリンクチャネルサウンディング方法における基地局に対応していてもよく、本発明のこの実施例における基地局90のモジュールの分割及び／又は機能等は、図８に示す方法の手順を実現することを意図するものであることが理解され得る。簡潔にするために、詳細はここでは再び説明しない。
【０２２１】
本発明のこの実施例における基地局90は、前述の方法の手順を実行するように構成されてもよい。したがって、基地局90により達成できる技術的効果について、前述の方法の実施例を参照する。本発明のこの実施例において詳細はここでは再び説明しない。
【０２２２】
図１２に示すように、本発明の実施例は装置を提供し、装置は基地局120でもよく、基地局120は、プロセッサ1201とメモリ1202とシステムバス1203と通信インタフェース1204とを含む。
【０２２３】
メモリ1202は、コンピュータ実行可能命令を記憶するように構成され、プロセッサ1201及びメモリ1202は、システムバスを使用することにより接続され、基地局1202が動作するときに、プロセッサ1201は、メモリ1203に記憶されたコンピュータ実行可能命令を実行し、それにより、基地局120は、図２〜図８のいずれか１つに記載の上りリンクチャネルサウンディング方法を実行する。具体的な上りリンクチャネルサウンディング方法について、図２〜図８のいずれか１つに示す実施例における関係する説明を参照する。詳細はここでは再び説明しない。
【０２２４】
この実施例は、記憶媒体を更に提供し、記憶媒体はメモリ1202を含んでもよい。
【０２２５】
プロセッサ1201は、中央処理装置（英文フルネーム：central  processing  unit、英文略称：CPU）でもよい。プロセッサ1201は、他の汎用プロセッサ、デジタルシグナルプロセッサ（英文フルネーム：digital  signal  processing、英文略称：DSP）、特定用途向け集積回路（英文フルネーム：application  specific  integrated  circuit、英文略称：ASIC）、フィールドプログラマブルゲートアレイ（英文フルネーム：field-programmable  gate  array、英文略称：FPGA）又は他のプログラム可能論理デバイス、ディスクリートゲート又はトランジスタ論理デバイス、ディスクリートハードウェアコンポーネント等でもよい。汎用プロセッサはマイクロプロセッサでもよく、或いはプロセッサはいずれかの通常のプロセッサ等でもよい。
【０２２６】
プロセッサ1201は、専用プロセッサでもよく、専用プロセッサは、ベースバンド処理チップ、無線周波数処理チップ等のうち少なくとも１つを含んでもよい。専用プロセッサは、基地局120の他の専用の処理機能を有するチップを更に含んでもよい。
【０２２７】
メモリ1202は、揮発性メモリ（英文：volatile  memory）、例えば、ランダムアクセスメモリ（英文フルネーム：random-access  memory、英文略称：RAM）を含んでもよく、或いはメモリ1202は、不揮発性メモリ（英文：non-volatile  memory）、例えば、読み取り専用メモリ（英文フルネーム：read-only  memory、英文略称：ROM）、フラッシュメモリ（英文：flash  memory）、ハードディスクドライブ（英文フルネーム：hard  disk  drive、英文略称：HDD）又はソリッドステートドライブ（英文フルネーム：solid-state  drive、英文略称：SSD）を含んでもよく、或いはメモリ1202は、前述のタイプのメモリの組み合わせを含んでもよい。
【０２２８】
システムバス1203は、データバス、電力バス、制御バス、状態信号バス等を含んでもよい。この実施例では、明確な説明のために、図１２において様々なバスはシステムバス1203として記されている。
【０２２９】
通信インタフェース1204は、具体的には、基地局120のトランシーバでもよい。トランシーバは、無線トランシーバでもよい。例えば、無線トランシーバは、基地局120のアンテナ等でもよい。プロセッサ1201は、通信インタフェース1204を使用することにより、UEのような他のデバイスからデータを受信するか、或いはデータを他のデバイスに送信する。
【０２３０】
具体的な実現プロセスにおいて、図２〜図８のいずれか１つに示す方法の手順におけるステップは、ハードウェア形式のプロセッサ1201がメモリ1202に記憶されたソフトウェア形式のコンピュータ実行可能命令を実行する方式で実現されてもよい。繰り返しを避けるために、詳細はここでは再び説明しない。
【０２３１】
本発明のこの実施例において提供される基地局120は、前述の方法の手順を実行するように構成されてもよい。したがって、基地局120により達成できる技術的効果について、前述の方法の実施例を参照する。詳細はここでは再び説明しない。
【０２３２】
図１３に示すように、本発明の実施例は装置を提供し、装置はUE130でもよく、UE130は、プロセッサ1301とメモリ1302とシステムバス1303と通信インタフェース1304とを含む。
【０２３３】
メモリ1302は、コンピュータ実行可能命令を記憶するように構成され、プロセッサ1301及びメモリ1302は、システムバスを使用することにより接続され、UE1302が動作するときに、プロセッサ1301は、メモリ1303に記憶されたコンピュータ実行可能命令を実行し、それにより、UE130は、図２〜図８のいずれか１つに記載の上りリンクチャネルサウンディング方法を実行する。具体的な上りリンクチャネルサウンディング方法について、図２〜図８のいずれか１つに示す実施例における関係する説明を参照する。詳細はここでは再び説明しない。
【０２３４】
この実施例は、記憶媒体を更に提供し、記憶媒体はメモリ1302を含んでもよい。
【０２３５】
プロセッサ1301は、CPUでもよい。プロセッサ1301は、他の汎用プロセッサ、DSP、ASIC、FPGA又は他のプログラム可能論理デバイス、ディスクリートゲート又はトランジスタ論理デバイス、ディスクリートハードウェアコンポーネント等でもよい。汎用プロセッサはマイクロプロセッサでもよく、或いはプロセッサはいずれかの通常のプロセッサ等でもよい。
【０２３６】
プロセッサ1301は、専用プロセッサでもよく、専用プロセッサは、ベースバンド処理チップ、無線周波数処理チップ等のうち少なくとも１つを含んでもよい。専用プロセッサは、UE130の他の専用の処理機能を有するチップを更に含んでもよい。
【０２３７】
メモリ1302は、揮発性メモリ、例えば、ランダムアクセスメモリRAMを含んでもよく、或いはメモリ1302は、不揮発性メモリ、例えば、読み取り専用メモリROM、フラッシュメモリ、HDD又はSSDを含んでもよく、或いはメモリ1302は、前述のタイプのメモリの組み合わせを含んでもよい。
【０２３８】
システムバス1303は、データバス、電力バス、制御バス、状態信号バス等を含んでもよい。この実施例では、明確な説明のために、図１３において様々なバスはシステムバス1303として記されている。
【０２３９】
通信インタフェース1304は、具体的には、UE130のトランシーバでもよい。トランシーバは、無線トランシーバでもよい。例えば、無線トランシーバは、UE130のアンテナ等でもよい。プロセッサ1301は、通信インタフェース1304を使用することにより、基地局のような他のデバイスからデータを受信するか、或いはデータを他のデバイスに送信する。
【０２４０】
具体的な実現プロセスにおいて、図２〜図８のいずれか１つに示す方法の手順におけるステップは、ハードウェア形式のプロセッサ1301がメモリ1302に記憶されたソフトウェア形式のコンピュータ実行可能命令を実行する方式で実現されてもよい。繰り返しを避けるために、詳細はここでは再び説明しない。
【０２４１】
本発明のこの実施例において提供される基地局130は、前述の方法の手順を実行するように構成されてもよい。したがって、UE130により達成できる技術的効果について、前述の方法の実施例を参照する。詳細はここでは再び説明しない。
【０２４２】
本発明の実施例は、上りリンクサウンディング信号トリガーシステムを提供し、上りリンクサウンディング信号トリガーシステムは、基地局と、基地局により管理されたセル内の複数のUEとを含む。図１に示す上りリンクサウンディング信号トリガーシステムが例として使用され、複数のUEは６個のUEでもよく、６個のUEは、それぞれUE1、UE2、UE3、UE4、UE5及びUE6である。６個のUEの詳細な説明について、図１０、図１１及び図１３に示す実施例におけるUEの関係する説明を参照する。基地局の詳細な説明について、図９及び図１２に示す実施例における基地局の関係する説明を参照する。詳細はここでは再び説明しない。
【０２４３】
本発明のこの実施例において提供される上りリンクサウンディング信号トリガーシステムでは、複数のUEのそれぞれは、図２〜図８のいずれか１つに示す方法の手順における対応するステップを実行することにより、本発明の実施例における上りリンクサウンディング信号トリガー方法を完了し、対応して、基地局は、図２〜図８のいずれか１つに示す方法の手順における対応するステップを実行することにより、本発明の実施例における上りリンクサウンディング信号トリガー方法を完了する。
【０２４４】
本発明のこの実施例において提供される上りリンクサウンディング信号トリガーシステムは、図１０、図１１又は図１３に示すUEと、図９又は図１２に示す基地局とを含み、図１０、図１１又は図１３に示すUEと、図９又は図１２に示す基地局とは、図２〜図８のいずれか１つに示す方法の手順を実行するように構成されてもよい。したがって、システムにより達成できる技術的効果について、方法の実施例における説明を参照する。本発明のこの実施例において詳細はここでは再び説明しない。
【０２４５】
便宜上且つ簡潔な説明の目的で、前述の装置において、前述の機能モジュールの分割は、例示のための例として挙げられていることが当業者により明確に理解され得る。実際の用途では、前述の機能は、異なるモジュールに割り当てられて要件に従って実現でき、すなわち、装置の内部構造は、前述の機能の全部又は一部を実現するために異なる機能モジュールに分割される。前述のシステム、装置及びユニットの詳細な動作プロセスについて、前述の方法の実施例における対応するプロセスを参照し、詳細はここでは再び説明しない。
【０２４６】
この出願において提供されるいくつかの実施例において、開示のシステム、装置及び方法は、他の方式で実現されてもよいことが理解されるべきである。例えば、記載の装置の実施例は、単なる例である。例えば、モジュール又はユニットの分割は、単に論理的な機能分割であり、実際の実現方式では他の分割でもよい。例えば、複数のユニット又はコンポーネントは結合されてもよく、或いは他のシステムに統合されてもよく、或いはいくつかの特徴が無視されてもよく或いは実行されなくてもよい。さらに、表示又は説明した相互結合若しくは直接結合又は通信接続は、いくつかのインタフェースを使用することにより実現されてもよい。装置又はユニットの間の間接結合又は通信接続は、電子的、機械的又は他の形式で実現されてもよい。
【０２４７】
別々の部分として記載したユニットは、物理的に別々でもよく或いは別々でなくてもよく、ユニットとして表示された部分は、物理的なユニットでもよく或いは物理的なユニットでなくてもよく、１つの場所に位置してもよく、或いは複数のネットワークユニットに分散されてもよい。ユニットの一部又は全部は、実施例の解決策の目的を達成するために、実際の要件に従って選択されてもよい。
【０２４８】
さらに、本発明の実施例における機能ユニットは、１つの処理ユニットに統合されてもよく、或いはユニットのそれぞれが物理的に単独で存在してもよく、或いは２つ以上のユニットが１つのユニットに統合されてもよい。統合されたユニットは、ハードウェアの形式で実現されてもよく、或いはソフトウェア機能ユニットの形式で実現されてもよい。
【０２４９】
統合されたユニットがソフトウェア機能ユニットの形式で実現され、独立したプロダクトとして販売又は使用されるときに、統合されたユニットは、コンピュータ読み取り可能記憶媒体に記憶されてもよい。このような理解に基づいて、本発明の技術的解決策は、本質的に、或いは、従来技術に寄与する部分又は技術的解決策の全部若しくは一部は、ソフトウェアプロダクトの形式で実現されてもよい。ソフトウェアプロダクトは、記憶媒体に記憶され、コンピュータデバイス（パーソナルコンピュータ、サーバ又はネットワークデバイスでもよい）又はプロセッサ（英文：processor）に対して本発明の実施例に記載の方法のステップの全部又は一部を実行するように命令するためのいくつかの命令を含む。前述の記憶媒体は、USBフラッシュドライブ、取り外し可能ハードディスク、ROM、RAM、磁気ディスク又は光ディスクのようなプログラムコードを記憶できるいずれかの媒体を含む。
【０２５０】
前述の説明は、本発明の単に具体的な実施例に過ぎず、本発明の保護範囲を限定することを意図するものではない。本発明に開示された技術範囲内で当業者により容易に理解される如何なる変更又は置換も本発明の保護範囲内に入るものとする。したがって、本発明の保護範囲は、特許請求の範囲の保護範囲に従うものとする。
【図１】
2019503106.tif 000077
【図２】
2019503106.tif 000078
【図３】
2019503106.tif 000079
【図４Ａ】
2019503106.tif 000080
【図４Ｂ】
2019503106.tif 000081
【図５】
2019503106.tif 000082
【図６】
2019503106.tif 000083
【図７Ａ】
2019503106.tif 000084
【図７Ｂ】
2019503106.tif 000085
【図８】
2019503106.tif 000086
【図９】
2019503106.tif 000087
【図１０】
2019503106.tif 000088
【図１１】
2019503106.tif 000089
【図１２】
2019503106.tif 000090
【図１３】
2019503106.tif 000091
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
上りリンクサウンディング信号トリガー方法であって、
基地局により、物理下りリンク制御チャネルを使用することにより１つの下りリンク制御情報（DCI）を送信するステップであり、前記DCIは、前記基地局により管理されたセル内のY個のユーザ装置（UE）のそれぞれに対応するサウンディングリファレンス信号（SRS）制御情報を含み、Yは2以上の正の整数であるステップを含む方法。
【請求項２】
前記Y個のUEの中の第iのUEに対応するSRS制御情報のビット数はkiであり、1≦i≦Yであり、iは整数であり、kiは1以上の正の整数である、請求項１に記載の方法。
【請求項３】
前記Y個のUEの中のUEの前記DCI内のビット位置を前記UEに送信するステップを更に含む、請求項１又は２に記載の方法。
【請求項４】
前記UEの前記DCI内の前記ビット位置は、無線リソース制御（RRC）シグナリングで搬送される、請求項３に記載の方法。
【請求項５】
前記UEの前記DCI内の前記ビット位置は、開始位置を含む、請求項３又は４に記載の方法。
【請求項６】
前記第iのUEに対応する前記SRS制御情報内のkiビットにより表される
【数６２】
2019503106.tif 000092
個の組み合わせ状態の中のsi個の組み合わせ状態は、前記UEがSRSを非周期的に送信するときに必要なSRSパラメータのセットを示すために別々に使用され、前記
【数６３】
2019503106.tif 000093
個の組み合わせ状態の中の前記si個の組み合わせ状態以外の組み合わせ状態のうち１つは、前記UEに対してSRSを送信しないように命令するために使用され、
【数６４】
2019503106.tif 000094
であり、siは整数である、請求項２乃至５のいずれか１項に記載の方法。
【請求項７】
前記基地局により、第２のRRC（RRC1）シグナリングを前記UEに送信するステップであり、前記第２のRRCシグナリングは、前記DCI内のビット位置と前記Y個のUEのそれぞれとの間の対応関係を搬送するステップを更に含む、請求項１、２又は６に記載の方法。
【請求項８】
前記DCIの巡回冗長検査（CRC）は、無線ネットワーク一時識別子（RNTI）を使用することによりスクランブル化され、
前記RNTIを前記Y個のUEに送信するステップを更に含む、請求項１乃至７のいずれか１項に記載の方法。
【請求項９】
上りリンクサウンディング信号トリガー方法であって、
ユーザ装置（UE）により、基地局から１つの下りリンク制御情報DCIを受信するステップであり、前記DCIは、前記基地局により管理されたセル内のY個のユーザ装置（UE）のそれぞれに対応するサウンディングリファレンス信号SRS制御情報を含み、Yは2以上の正の整数であるステップと、
前記UEにより、前記DCIが前記UEに対応するSRS制御情報を含むと検出した後に、前記UEに対応する前記SRS制御情報に従ってSRSをトリガーするステップと
を含む方法。
【請求項１０】
前記UEにより、前記基地局から第１の無線リソース制御RRC（RRC1）シグナリングを受信するステップであり、前記第１のRRCシグナリングは、前記DCI内のビット位置と前記Y個のUEのそれぞれとの間の対応関係を搬送するステップと、
前記UEにより、前記対応関係に従って、前記UEに対応する前記SRS制御情報を決定するステップと
を更に含む、請求項９に記載の方法。
【請求項１１】
前記Y個のUEの中の第iのUEに対応するSRS制御情報のビット数はkiであり、1≦i≦Yであり、iは整数であり、kiは1以上の正の整数である、請求項９又は１０に記載の方法。
【請求項１２】
前記第iのUEに対応する前記SRS制御情報内のkiビットにより表される
【数６８】
2019503106.tif 000095
個の組み合わせ状態の中のsi個の組み合わせ状態は、前記UEがSRSを非周期的に送信するときに必要なSRSパラメータのセットを示すために別々に使用され、前記
【数６９】
2019503106.tif 000096
個の組み合わせ状態の中の前記si個の組み合わせ状態以外の組み合わせ状態のうち１つは、前記UEに対してSRSを送信しないように命令するために使用され、
【数７０】
2019503106.tif 000097
であり、siは整数であり、前記UEにより、前記UEに対応する前記SRS制御情報に従ってSRSをトリガーする前記ステップは、
前記UEに対応する前記SRS制御情報が、前記UEがSRSを非周期的に送信するときに必要なSRSパラメータのセットを示すために使用される場合、前記UEにより、前記UEがSRSを非周期的に送信するときに必要な前記SRSパラメータのセットに従って、SRSを前記基地局に送信するステップ、又は
前記UEに対応する前記SRS制御情報が、SRSを送信しないように命令するために使用される場合、前記UEにより、SRSを前記基地局に送信しないステップ
を含む、請求項９乃至１１のうちいずれか１項に記載の方法。
【請求項１３】
無線リソース制御（RRC）シグナリングを通じて前記基地局から前記UEの前記DCI内のビット位置を受信するステップを更に含む、請求項９、１１又は１２に記載の方法。
【請求項１４】
前記UEの前記DCI内の前記ビット位置は、開始位置を含む、請求項１３に記載の方法。
【請求項１５】
前記UEにより、前記基地局から第３のRRC（RRC3）シグナリングを受信するステップであり、前記第３のRRCシグナリングは、指示情報を搬送し、前記指示情報は、前記UEに対して非周期的SRSが１回トリガーされる間にSRSをM回送信するように命令するために使用され、Mは1以上の正の整数であるステップを更に含み、
前記UEにより、前記DCIが前記UEに対応するSRS制御情報を含むと検出した後に、前記UEに対応する前記SRS制御情報に従ってSRSをトリガーするステップは、
前記UEにより、前記指示情報を参照して、前記UEがSRSを非周期的に送信するときに必要な前記SRSパラメータのセットに従って、SRSを前記基地局にM回送信するステップを含む、請求項９乃至１４のいずれか１項に記載の方法。
【請求項１６】
請求項１乃至１５のいずれか１項に記載の上りリンクサウンディング信号トリガー方法を実行するように構成された装置。
【請求項１７】
コンピュータにより実行されたときに、請求項１乃至１５のいずれか１項に記載の方法が実行される命令を含むコンピュータ読み取り可能記憶媒体。
【手続補正２】
【補正対象書類名】明細書
【補正対象項目名】０００９
【補正方法】変更
【補正の内容】
【０００９】
第１の態様によれば、上りリンクサウンディング信号トリガー方法が提供され、方法は、
基地局により、物理下りリンク制御チャネルを使用することにより１つの下りリンク制御情報DCIを送信するステップであり、DCIは、基地局により管理されたセル内のY個のユーザ装置UEのそれぞれに対応するサウンディングリファレンス信号SRS制御情報を含み、Yは2以上の正の整数であるステップを含む。
【手続補正３】
【補正対象書類名】明細書
【補正対象項目名】００１０
【補正方法】変更
【補正の内容】
【００１０】
本発明のこの実施例において提供される上りリンクサウンディング信号トリガー方法では、物理下りリンク制御チャネルを使用することにより基地局により送信されるDCIは、基地局により管理されたセル内のY個のUEのそれぞれに対応するSRS制御情報を含み、Yは2以上の正の整数である。すなわち、本発明のこの実施例におけるDCIは、複数のUEに対してSRSを１回送信するようにトリガーするために使用できる。したがって、SRSが無線通信システムにおいて短時間に複数のUEについて急速に設定される必要があるときに、物理レイヤPDCCH/EPDCCHのシグナリングオーバーヘッドが低減できる。
【手続補正４】
【補正対象書類名】明細書
【補正対象項目名】００１１
【補正方法】変更
【補正の内容】
【００１１】
第２の態様によれば、上りリンクサウンディング信号トリガー方法が提供され、方法は、
ユーザ装置UEにより、基地局により送信された１つの下りリンク制御情報DCIを受信するステップであり、DCIは、基地局により管理されたセル内のY個のユーザ装置UEのそれぞれに対応するサウンディングリファレンス信号SRS制御情報を含み、Yは2以上の正の整数であるステップと、
UEにより、DCIがUEに対応するSRS制御情報を含むと検出した後に、UEに対応するSRS制御情報に従ってSRSをトリガーするステップと
を含む。
【手続補正５】
【補正対象書類名】明細書
【補正対象項目名】００１２
【補正方法】変更
【補正の内容】
【００１２】
本発明のこの実施例において提供される上りリンクサウンディング信号トリガー方法では、物理下りリンク制御チャネルを使用することにより基地局により送信されるDCIは、基地局により管理されたセル内のY個のUEのそれぞれに対応するSRS制御情報を含み、Yは2以上の正の整数である。すなわち、本発明のこの実施例におけるDCIは、複数のUEに対してSRSを１回送信するようにトリガーするために使用できる。したがって、SRSが無線通信システムにおいて短時間に複数のUEについて急速に設定される必要があるときに、物理レイヤPDCCH/EPDCCHのシグナリングオーバーヘッドが低減できる。さらに、DCIがUEに対応するSRS制御情報を含むと検出した後に、UEは、UEに対応するSRS制御情報に従ってSRSをトリガーしてもよい。すなわち、従来技術における周期的SRSトリガー機構との違いは、本発明のこの実施例では、周期的SRS又は非周期的SRSに拘わらず、SRSがDCIを使用することによりトリガーされる点にある。DCIに基づく設定は、動的な設定であり、SRSは再設定できるか、或いは設定は適時に停止できる。したがって、柔軟な設定要件が満たされることができる。
【手続補正６】
【補正対象書類名】明細書
【補正対象項目名】００１３
【補正方法】変更
【補正の内容】
【００１３】
第３の態様によれば、基地局が提供され、基地局は、送信ユニットを含み、
送信ユニットは、物理下りリンク制御チャネルを使用することにより１つの下りリンク制御情報DCIを送信するように構成され、DCIは、基地局により管理されたセル内のY個のユーザ装置UEのそれぞれに対応するサウンディングリファレンス信号SRS制御情報を含み、Yは2以上の正の整数である。
【手続補正７】
【補正対象書類名】明細書
【補正対象項目名】００１５
【補正方法】変更
【補正の内容】
【００１５】
第４の態様によれば、ユーザ装置UEが提供され、UEは、受信ユニットと処理ユニットとを含み、
受信ユニットは、基地局により送信された１つの下りリンク制御情報DCIを受信するように構成され、DCIは、基地局により管理されたセル内のY個のユーザ装置UEのそれぞれに対応するサウンディングリファレンス信号SRS制御情報を含み、Yは2以上の正の整数であり、
処理ユニットは、DCIがUEに対応するSRS制御情報を含むと検出された後に、UEに対応するSRS制御情報に従ってSRSをトリガーするように構成される。
【手続補正８】
【補正対象書類名】明細書
【補正対象項目名】００１７
【補正方法】変更
【補正の内容】
【００１７】
任意選択で、第１の態様〜第４の態様のいずれか１つにおいて、Y個のUEの中の第iのUEに対応するSRS制御情報のビット数はkiであり、1≦i≦Yであり、iは整数であり、kiは1以上の正の整数である。
【手続補正９】
【補正対象書類名】明細書
【補正対象項目名】００４０
【補正方法】変更
【補正の内容】
【００４０】
任意選択で、第１の態様において、方法は、
基地局により、第２のRRC（RRC1）シグナリングをUEに送信するステップであり、第２のRRCシグナリングは、DCI内のビット位置とY個のUEのそれぞれとの間の対応関係を搬送するステップを更に含んでもよい。
【手続補正１０】
【補正対象書類名】明細書
【補正対象項目名】００４１
【補正方法】変更
【補正の内容】
【００４１】
対応して、第２の態様において、方法は、
UEにより、基地局により送信された第１の無線リソース制御RRC（RRC1）シグナリングを受信するステップであり、第１のRRCシグナリングは、DCI内のビット位置とY個のUEのそれぞれとの間の対応関係を搬送するステップと、
UEにより、対応関係に従って、UEに対応するSRS制御情報を決定するステップと
を更に含んでもよい。
【手続補正１１】
【補正対象書類名】明細書
【補正対象項目名】００４２
【補正方法】変更
【補正の内容】
【００４２】
任意選択で、第３の態様において、送信ユニットは、第２のRRC（RRC1）シグナリングをUEに送信するように更に構成され、第２のRRCシグナリングは、DCI内のビット位置とY個のUEのそれぞれとの間の対応関係を搬送する。
【手続補正１２】
【補正対象書類名】明細書
【補正対象項目名】００４３
【補正方法】変更
【補正の内容】
【００４３】
対応して、第４の態様において、受信ユニットは、基地局により送信された第１の無線リソース制御RRC（RRC1）シグナリングを受信するように更に構成され、第１のRRCシグナリングは、DCI内のビット位置とY個のUEのそれぞれとの間の対応関係を搬送し、
処理ユニットは、対応関係に従って、UEに対応するSRS制御情報を決定する。
【手続補正１３】
【補正対象書類名】明細書
【補正対象項目名】００７６
【補正方法】変更
【補正の内容】
【００７６】
第１２の態様によれば、本発明の実施例は、コンピュータ実行可能命令を含む読み取り可能媒体を提供し、UEのプロセッサがコンピュータ実行可能命令を実行するときに、UEは、第２の態様又は第２の態様の任意選択の方式のいずれか１つにおける上りリンクサウンディング信号トリガー方法を実行するか、或いはUEは、第５の態様又は第５の態様の任意選択の方式のいずれか１つにおける上りリンクサウンディング信号トリガー方法を実行する。
【手続補正１４】
【補正対象書類名】明細書
【補正対象項目名】００８３
【補正方法】変更
【補正の内容】
【００８３】
背景技術に記載のように、既存のLTEプロトコルでは、UEは、２つのトリガー機構、すなわち、トリガータイプ0及びトリガータイプ1に基づいてSRSを送信する。トリガータイプ0は、周期的SRS伝送に対応しており、RRCシグナリングを使用することにより実行されるトリガーを意味する。トリガータイプ1は、非周期的SRS伝送に対応しており、PDCCH又はEPDCCHのDCIを使用することにより実行されるトリガーを意味する。DCIフォーマット0/4/1Aは、周波数分割複信（英文略称：FDD）及び時分割複信（英文略称：TDD）に使用され、DCIフォーマット2B/2C/2Dは、TDDのみに使用される。
【手続補正１５】
【補正対象書類名】明細書
【補正対象項目名】０１０３
【補正方法】変更
【補正の内容】
【０１０３】
S201.基地局は、物理下りリンク制御チャネルを使用することにより１つのDCIを送信し、DCIは、基地局により管理されたセル内のY個のUEのそれぞれに対応するSRS制御情報を含み、Yは2以上の正の整数である。
【手続補正１６】
【補正対象書類名】明細書
【補正対象項目名】０１０８
【補正方法】変更
【補正の内容】
【０１０８】
基地局により管理されたセル内のY個のUEは、基地局によりランダムに選択されてもよく、或いは基地局により予め設定されたポリシーを使用することにより選択されてもよい。例えば、基地局は、基地局により管理されたセル内のN個のUEをM個のグループのUEに分類してもよく、基地局により管理されたセル内のY個のUEは、M個のグループのUEの中の１つのグループのUE内のUEであり、N及びMの双方は正の整数である。分類ルールは、以下の内容、すなわち、UEの異なるサービス、UEの地理的位置、UEの電力又はUEの異なるタイプを含むが、これらに限定されない。
【手続補正１７】
【補正対象書類名】明細書
【補正対象項目名】０１０９
【補正方法】変更
【補正の内容】
【０１０９】
基地局により管理されたセル内のY個のUEを選択する方式は、本発明のこの実施例では具体的に限定されない。
【手続補正１８】
【補正対象書類名】明細書
【補正対象項目名】０１１０
【補正方法】変更
【補正の内容】
【０１１０】
任意選択で、基地局により管理されたセル内のY個のUEの中の第iのUEに対応するSRS制御情報のビット数はkiであり、1≦i≦Yであり、iは整数であり、kiは1以上の正の整数である。
【手続補正１９】
【補正対象書類名】明細書
【補正対象項目名】０１１３
【補正方法】変更
【補正の内容】
【０１１３】
指示方式１：DCIは、非周期的SRSのみをトリガーするために使用され、Y個のUEの中の第iのUEに対応するSRS制御情報内のkiビットにより表される
【数２８】
2019503106.tif 000098
個の組み合わせ状態の中のsi個の組み合わせ状態は、UEがSRSを非周期的に送信するときに必要なSRSパラメータのセット（最大でSRSパラメータのsi個のセットが存在するか、或いはSRSパラメータのsi個未満のセットが存在してもよく、例えば、組み合わせ状態は、割り当てが一時的に実行されないことを示す「保留」である）を示すために別々に使用され、
【数２９】
2019503106.tif 000099
個の組み合わせ状態の中のsi個の組み合わせ状態以外の組み合わせ状態のうち１つは、UEに対してSRSを送信しないように命令するために使用され、
【数３０】
2019503106.tif 000100
であり、siは整数である。代替として、1ビットは、UEに対してSRSを送信しないように命令するために単独で使用されてもよく、siの値もまた、相応に変化することが理解され得る。詳細は説明しない。
【手続補正２０】
【補正対象書類名】明細書
【補正対象項目名】０１１４
【補正方法】変更
【補正の内容】
【０１１４】
指示方式２：DCIは、非周期的SRSをトリガーするために使用されてもよく、或いは周期的SRSをトリガーするために使用されてもよく、Y個のUEの中の第iのUEに対応するSRS制御情報内のkiビットのうち１つは、UEに対してSRSを周期的又は非周期的に送信するように命令するために使用され、kiビットの中の他の(ki-1)ビットにより表される
【数３１】
2019503106.tif 000101
個の組み合わせ状態の中のsi個の組み合わせ状態は、UEがSRSを周期的又は非周期的に送信するときに必要なSRSパラメータのセット（最大でSRSパラメータのsi個のセットが存在するか、或いはSRSパラメータのsi個未満のセットが存在してもよく、例えば、組み合わせ状態は、割り当てが一時的に実行されないことを示す「保留」である）を示すために別々に使用され、
【数３２】
2019503106.tif 000102
個の組み合わせ状態の中のsi個の組み合わせ状態以外の組み合わせ状態のうち１つは、UEに対してSRSを送信しないように命令するために使用され、
【数３３】
2019503106.tif 000103
であり、siは整数であり、kiは1より大きい正の整数である。1ビットは、UEに対してSRSを送信しないように命令するために単独で使用されてもよく、siの値もまた、相応に変化することが理解され得る。詳細は説明しない。
【手続補正２１】
【補正対象書類名】明細書
【補正対象項目名】０１１５
【補正方法】変更
【補正の内容】
【０１１５】
指示方式３：DCIは、周期的SRSのみをトリガーするために使用され、Y個のUEの中の第iのUEに対応するSRS制御情報内のkiビットにより表される
【数３４】
2019503106.tif 000104
個の組み合わせ状態の中のsi個の組み合わせ状態は、UEがSRSを周期的に送信するときに必要なSRSパラメータのセットを示すために別々に使用され、
【数３５】
2019503106.tif 000105
個の組み合わせ状態の中のsi個の組み合わせ状態以外の組み合わせ状態のうち１つは、UEに対してSRSを送信しないように命令するために使用され、
【数３６】
2019503106.tif 000106
であり、siは整数である。1ビットは、UEに対してSRSを送信しないように命令するために単独で使用されてもよく、siの値もまた、相応に変化することが理解され得る。詳細は説明しない。
【手続補正２２】
【補正対象書類名】明細書
【補正対象項目名】０１１６
【補正方法】変更
【補正の内容】
【０１１６】
明らかに、代替として、kiビットにより表される
【数３７】
2019503106.tif 000107
個の組み合わせ状態は、他の指示方式に対応していてもよく、前述の指示方式は、説明のための単なる例である。これは、本発明のこの実施例では具体的に限定されない。さらに、同じ指示方式が異なる表現形式を有してもよい。例えば、指示方式２において、他の指示方式が表現のために使用されてもよく、すなわち、
Y個のUEの中の第iのUEに対応するSRS制御情報内のkiビットにより表される
【数３８】
2019503106.tif 000108
個の組み合わせ状態の中の
【数３９】
2019503106.tif 000109
個の組み合わせ状態は、UEに対してSRSを周期的に送信するように命令するために使用され、
【数４０】
2019503106.tif 000110
個の組み合わせ状態の中のsi個の組み合わせ状態は、UEがSRSを周期的に送信するときに必要な周期的SRSパラメータのsi個のセットを示すためにそれぞれ使用され、
【数４１】
2019503106.tif 000111
個の組み合わせ状態の中のsi個の組み合わせ状態以外の組み合わせ状態のうち１つは、UEに対してSRSを送信しないように命令するために使用され、
【数４２】
2019503106.tif 000112
であり、siは整数であり、kiは1より大きい正の整数であり、
【数４３】
2019503106.tif 000113
個の組み合わせ状態の中の
【数４４】
2019503106.tif 000114
個の組み合わせ状態以外の
【数４５】
2019503106.tif 000115
個の組み合わせ状態は、UEに対してSRSを非周期的に送信するように命令するために使用され、
【数４６】
2019503106.tif 000116
個の組み合わせ状態の中のti個の組み合わせ状態は、UEがSRSを非周期的に送信するときに必要な非周期的SRSパラメータのti個のセットを示すためにそれぞれ使用され、
【数４７】
2019503106.tif 000117
個の組み合わせ状態の中のti個の組み合わせ状態以外の組み合わせ状態のうち１つは、UEに対してSRSを送信しないように命令するために使用され、
【数４８】
2019503106.tif 000118
であり、tiは整数である。
【手続補正２３】
【補正対象書類名】明細書
【補正対象項目名】０１２１
【補正方法】変更
【補正の内容】
【０１２１】
方式１：UE1は、基地局により送信されたRRC1シグナリングを受信し、RRC1シグナリングは、DCI内のビット位置とY個のUEのそれぞれとの間の対応関係を搬送し、UE1は、対応関係に従って、UE1に対応するSRS制御情報を決定する。
【手続補正２４】
【補正対象書類名】明細書
【補正対象項目名】０１２３
【補正方法】変更
【補正の内容】
【０１２３】
本発明のこの実施例におけるRRC1シグナリングは、具体的には、DCI内のビット位置とY個のUEのそれぞれとの間の対応関係を既存のRRCシグナリングに追加することにより取得されるRRCシグナリングでもよい点に留意すべきである。この場合、RRC1シグナリングは、基地局によりUE1に配信されるSRSパラメータを搬送してもよい。明らかに、代替として、RRC1シグナリングは、DCI内のビット位置とY個のUEのそれぞれとの間の対応関係を搬送するために使用される新たに規定されたシグナリングでもよい。この場合、RRC1シグナリングは、基地局によりUE1に配信されるSRSパラメータを搬送せず、単独で配信されるRRCシグナリングである。これは、本発明のこの実施例では具体的に限定されない。
【手続補正２５】
【補正対象書類名】明細書
【補正対象項目名】０１２８
【補正方法】変更
【補正の内容】
【０１２８】
任意選択で、従来技術との違いは、基地局が前述の分類方式で基地局により管理されたセル内のN個のUEを分類した後に、Y個のUEが１つのグループのUE内のUEであるときに、基地局が、Y個のUEのために同じRNTIを設定してもよい点にある。RNTIは、Y個のUEが属するグループのグループRNTIと呼ばれてもよい。この場合、UE1がDCIを受信してDCIをスクランブル解除したときに、UE1は、グループRNTIを検出する。UE1は、UE1がY個のUEが属するグループ内のUEであるときにのみ、成功してスクランブル解除を実行できる。そうでなく、UE1がY個のUEが属するグループ内のUEでないときに、スクランブル解除は失敗する。
【手続補正２６】
【補正対象書類名】明細書
【補正対象項目名】０１６２
【補正方法】変更
【補正の内容】
【０１６２】
本発明のこの実施例において提供される上りリンクサウンディング信号トリガー方法に基づいて、本発明のこの実施例では、基地局により物理下りリンク制御チャネルを使用することにより送信されるDCIは、基地局により管理されたセル内のY個のUEのそれぞれに対応するSRS制御情報を含むため、UE1が基地局により送信されたDCIを受信し、DCIがUE1に対応するSRS制御情報を含むと検出した後に、UE1は、UE1に対応するSRS制御情報に従ってSRSをトリガーでき、Yは2以上の正の整数である。すなわち、本発明のこの実施例におけるDCIは、複数のUEに対してSRSを１回送信するようにトリガーするために使用できる。したがって、SRSが無線通信システムにおいて短時間に複数のUEについて急速に設定される必要があるときに、物理レイヤPDCCH/EPDCCHのシグナリングオーバーヘッドが低減できる。従来技術における周期的SRSトリガー機構との違いは、本発明のこの実施例では、周期的SRS又は非周期的SRSに拘わらず、SRSがDCIを使用することによりトリガーされる点にある。DCIに基づく設定は、動的な設定であり、SRSは再設定できるか、或いは設定は適時に停止できる。したがって、柔軟な設定要件が満たされることができる。
【手続補正２７】
【補正対象書類名】明細書
【補正対象項目名】０１８３
【補正方法】変更
【補正の内容】
【０１８３】
より高いレイヤのRRCシグナリングが、UE毎にタイプ2のSRSパラメータのセットを設定するために使用され、DCI  formats  0/1A/2B/2C/2D内の1ビットがSRSのセットをトリガーするために使用されるときに、「1」は、周期的SRSを送信するためにタイプ2モードをトリガーすることを示し、「0」は周期的SRSを送信しないことを示すか、或いは「0」は、周期的SRSを送信するためにタイプ2モードをトリガーすることを示し、「1」は周期的SRSを送信しないことを示す。これは、本発明のこの実施例では具体的に限定されない。
【手続補正２８】
【補正対象書類名】明細書
【補正対象項目名】０１８８
【補正方法】変更
【補正の内容】
【０１８８】
図９に示すように、本発明の実施例は装置を提供し、装置は基地局90でもよく、基地局90は、図２〜図７Ａ及び図７Ｂに示す方法において基地局により実行されるステップを実行するように構成される。基地局90は、対応するステップに対応するモジュールを含んでもよい。例えば、基地局90は、
物理下りリンク制御チャネルを使用することにより１つのDCIを送信するように構成された送信ユニット901であり、DCIは、基地局90により管理されたセル内のY個のUEのそれぞれに対応するSRS制御情報を含み、Yは2以上の正の整数である送信ユニット901を含んでもよい。
【手続補正２９】
【補正対象書類名】明細書
【補正対象項目名】０１８９
【補正方法】変更
【補正の内容】
【０１８９】
任意選択で、Y個のUEの中の第iのUEに対応するSRS制御情報のビット数はkiであり、1≦i≦Yであり、iは整数であり、kiは1以上の正の整数である。
【手続補正３０】
【補正対象書類名】明細書
【補正対象項目名】０１９２
【補正方法】変更
【補正の内容】
【０１９２】
任意選択で、送信ユニット901は、第２のRRCシグナリングをUEに送信するように更に構成され、第２のRRCシグナリングは、DCI内のビット位置とY個のUEのそれぞれとの間の対応関係を搬送する。
【手続補正３１】
【補正対象書類名】明細書
【補正対象項目名】０１９６
【補正方法】変更
【補正の内容】
【０１９６】
図１０に示すように、本発明の実施例は装置を提供し、装置はUE100でもよく、UE100は、図２〜図７Ａ及び図７Ｂに示す方法においてUEにより実行されるステップを実行するように構成される。UE100は、対応するステップに対応するモジュールを含んでもよい。例えば、UE100は、
基地局により送信された１つのDCIを受信するように構成された受信ユニット1001であり、DCIは、基地局により管理されたセル内のY個のユーザ装置UEのそれぞれに対応するSRS制御情報を含み、Yは2以上の正の整数である受信ユニット1001と、
DCIがUE100に対応するSRS制御情報を含むと検出された後に、UE100に対応するSRS制御情報に従ってSRSをトリガーするように構成された処理ユニット1002と
を含んでもよい。
【手続補正３２】
【補正対象書類名】明細書
【補正対象項目名】０１９７
【補正方法】変更
【補正の内容】
【０１９７】
任意選択で、Y個のUEの中の第iのUEに対応するSRS制御情報のビット数はkiであり、1≦i≦Yであり、iは整数であり、kiは1以上の正の整数である。
【手続補正３３】
【補正対象書類名】明細書
【補正対象項目名】０２０５
【補正方法】変更
【補正の内容】
【０２０５】
任意選択で、受信ユニット1001は、基地局により送信された第１のRRCシグナリングを受信するように更に構成され、第１のRRCシグナリングは、DCI内のビット位置とY個のUEのそれぞれとの間の対応関係を搬送し、
処理ユニット1002は、対応関係に従って、UE100に対応するSRS制御情報を決定するように更に構成される。
【手続補正３４】
【補正対象書類名】明細書
【補正対象項目名】０２２３
【補正方法】変更
【補正の内容】
【０２２３】
メモリ1202は、コンピュータ実行可能命令を記憶するように構成され、プロセッサ1201及びメモリ1202は、システムバスを使用することにより接続され、基地局120が動作するときに、プロセッサ1201は、メモリ1202に記憶されたコンピュータ実行可能命令を実行し、それにより、基地局120は、図２〜図８のいずれか１つに記載の上りリンクチャネルサウンディング方法を実行する。具体的な上りリンクチャネルサウンディング方法について、図２〜図８のいずれか１つに示す実施例における関係する説明を参照する。詳細はここでは再び説明しない。
【手続補正３５】
【補正対象書類名】明細書
【補正対象項目名】０２２５
【補正方法】変更
【補正の内容】
【０２２５】
プロセッサ1201は、中央処理装置（英文フルネーム：central  processing  unit、英文略称：CPU）でもよい。プロセッサ1201は、他の汎用プロセッサ、デジタルシグナルプロセッサ（英文略称：DSP）、特定用途向け集積回路（英文フルネーム：application  specific  integrated  circuit、英文略称：ASIC）、フィールドプログラマブルゲートアレイ（英文フルネーム：field-programmable  gate  array、英文略称：FPGA）又は他のプログラム可能論理デバイス、ディスクリートゲート又はトランジスタ論理デバイス、ディスクリートハードウェアコンポーネント等でもよい。汎用プロセッサはマイクロプロセッサでもよく、或いはプロセッサはいずれかの通常のプロセッサ等でもよい。
【手続補正３６】
【補正対象書類名】明細書
【補正対象項目名】０２３３
【補正方法】変更
【補正の内容】
【０２３３】
メモリ1302は、コンピュータ実行可能命令を記憶するように構成され、プロセッサ1301及びメモリ1302は、システムバスを使用することにより接続され、UE130が動作するときに、プロセッサ1301は、メモリ1302に記憶されたコンピュータ実行可能命令を実行し、それにより、UE130は、図２〜図８のいずれか１つに記載の上りリンクチャネルサウンディング方法を実行する。具体的な上りリンクチャネルサウンディング方法について、図２〜図８のいずれか１つに示す実施例における関係する説明を参照する。詳細はここでは再び説明しない。
【手続補正３７】
【補正対象書類名】明細書
【補正対象項目名】０２４１
【補正方法】変更
【補正の内容】
【０２４１】
本発明のこの実施例において提供されるUE130は、前述の方法の手順を実行するように構成されてもよい。したがって、UE130により達成できる技術的効果について、前述の方法の実施例を参照する。詳細はここでは再び説明しない。
【手続補正３８】
【補正対象書類名】図面
【補正対象項目名】図２
【補正方法】変更
【補正の内容】
【図２】
2019503106.tif 000119
【手続補正３９】
【補正対象書類名】図面
【補正対象項目名】図３
【補正方法】変更
【補正の内容】
【図３】
2019503106.tif 000120
【手続補正４０】
【補正対象書類名】図面
【補正対象項目名】図４Ａ
【補正方法】変更
【補正の内容】
【図４Ａ】
2019503106.tif 000121
【手続補正４１】
【補正対象書類名】図面
【補正対象項目名】図５
【補正方法】変更
【補正の内容】
【図５】
2019503106.tif 000122
【手続補正４２】
【補正対象書類名】図面
【補正対象項目名】図６
【補正方法】変更
【補正の内容】
【図６】
2019503106.tif 000123
【手続補正４３】
【補正対象書類名】図面
【補正対象項目名】図７Ａ
【補正方法】変更
【補正の内容】
【図７Ａ】
2019503106.tif 000124
【国際調査報告】
2019503106.tif 000125
2019503106.tif 000126
2019503106.tif 000127
2019503106.tif 000128
2019503106.tif 000129
2019503106.tif 000130